(57)【特許請求の範囲】
【請求項１】
異なる動作周波数帯域幅Ｂｎ（ｎ＝１，２，３・・・）を有する移動局に対応するＯＦＤＭ方式の下りリンク無線アクセスが行われる移動通信システムにおいて、下りリンク制御チャネルに含まれる報知情報及び／またはページングインジケーター情報をマッピングするための下りリンク制御情報マッピング方法において、
最大周波数帯域幅を含むＢｎ（ｎ＝１，２，３・・・）移動局クラスの全ての移動局に対応した前記報知情報及び／またはページングインジケーター情報を、前記動作周波数帯域幅Ｂｎのうちの最小周波数帯域幅にマッピングするとともに、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に分散してマッピングし、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に異なる誤り訂正方式の冗長ビットを用いて分散してマッピングすることを特徴とする下りリンク制御情報マッピング方法。
【請求項２】
異なる動作周波数帯域幅Ｂｎ（ｎ＝１，２，３・・・）を有する移動局に対応するＯＦＤＭ方式の下りリンク無線アクセスが行われる移動通信システムにおいて、下りリンク制御チャネルに含まれる報知情報及び／またはページングインジケーター情報をマッピングするための下りリンク制御情報マッピング方法において、
最大周波数帯域幅を含むＢｎ（ｎ＝１，２，３・・・）移動局クラスの全ての移動局に対応した前記報知情報及び／またはページングインジケーター情報を、前記動作周波数帯域幅Ｂｎのうちの最小周波数帯域幅にマッピングするとともに、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に分散してマッピングし、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に異なる変調方式を用いて分散してマッピングすることを特徴とする下りリンク制御情報マッピング方法。
【請求項３】
異なる動作周波数帯域幅Ｂｎ（ｎ＝１，２，３・・・）を有する移動局に対応するＯＦＤＭ方式の下りリンク無線アクセスが行われる移動通信システムにおいて、下りリンク制御チャネルに含まれる報知情報及び／またはページングインジケーター情報をマッピングするための下りリンク制御情報マッピング方法において、
最大周波数帯域幅を含むＢｎ（ｎ＝１，２，３・・・）移動局クラスの全ての移動局に対応した前記報知情報及び／またはページングインジケーター情報を、前記動作周波数帯域幅Ｂｎのうちの最小周波数帯域幅にマッピングするとともに、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に分散してマッピングし、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に異なる拡散方式を用いて分散してマッピングすることを特徴とする下りリンク制御情報マッピング方法。
【請求項４】
異なる動作周波数帯域幅Ｂｎ（ｎ＝１，２，３・・・）を有する移動局に対応するＯＦＤＭ方式の下りリンク無線アクセスが行われる移動通信システムにおいて、下りリンク制御チャネルに含まれる報知情報及び／またはページングインジケーター情報をマッピングするための下りリンク制御情報マッピング方法において、
最大周波数帯域幅を含むＢｎ（ｎ＝１，２，３・・・）移動局クラスの全ての移動局に対応した前記報知情報及び／またはページングインジケーター情報を、前記動作周波数帯域幅Ｂｎのうちの最小周波数帯域幅にマッピングするとともに、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に分散してマッピングし、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に異なる送信電力を用いて分散してマッピングすることを特徴とする下りリンク制御情報マッピング方法。
【請求項５】
異なる動作周波数帯域幅を有する移動局に対応するＯＦＤＭ方式の下りリンク無線アクセスが行われる移動通信システムにおいて、下りリンク制御チャネルに含まれる報知情報及び／またはページングインジケーター情報を受信するための下りリンク制御情報受信方法において、
最大周波数帯域幅を含むＢｎ（ｎ＝１，２，３，・・・）移動局クラスの全ての移動局に対応した前記報知情報及び／またはページングインジケーター情報が、前記動作周波数帯域幅Ｂｎのうち最小周波数帯域幅にマッピングされ、さらに該最小周波数帯域幅にマッピングされた前記報知情報及び／またはページングインジケーター情報と同じ情報が、前記Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局が受信したとき、
該Ｂｎ移動局クラスの移動局は、前記報知情報及び／またはページングインジケーター情報を受信する際に受信品質が劣化した場合、自身のＢｎ移動局クラスの動作周波数帯域幅に直接もしくは段階的に制御を広げ、
前記最小周波数帯域幅にマッピングされた前記報知情報及び／またはページングインジケーター情報と同じ情報は、前記Ｂｎの全ての周波数帯域幅Ｂｎ−Ｂｍ（ｎ，ｍ＞１；ｎ−ｍ＝１）に異なる誤り訂正方式の冗長ビットを用いて分散してマッピングされていることを特徴とする下りリンク制御情報受信方法。
【請求項６】
異なる動作周波数帯域幅を有する移動局に対応するＯＦＤＭ方式の下りリンク無線アクセスが行われる移動通信システムにおいて、下りリンク制御チャネルに含まれる報知情報及び／またはページングインジケーター情報を受信するための下りリンク制御情報受信方法において、
最大周波数帯域幅を含むＢｎ（ｎ＝１，２，３，・・・）移動局クラスの全ての移動局に対応した前記報知情報及び／またはページングインジケーター情報が、前記動作周波数帯域幅Ｂｎのうち最小周波数帯域幅にマッピングされ、さらに該最小周波数帯域幅にマッピングされた前記報知情報及び／またはページングインジケーター情報と同じ情報が、前記Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局が受信したとき、
該Ｂｎ移動局クラスの移動局は、前記報知情報及び／またはページングインジケーター情報を受信する際に受信品質が劣化した場合、自身のＢｎ移動局クラスの動作周波数帯域幅に直接もしくは段階的に制御を広げ、
前記最小周波数帯域幅にマッピングされた前記報知情報及び／またはページングインジケーター情報と同じ情報は、前記Ｂｎの全ての周波数帯域幅Ｂｎ−Ｂｍ（ｎ，ｍ＞１；ｎ−ｍ＝１）に異なる変調方式を用いて分散してマッピングされていることを特徴とする下りリンク制御情報受信方法。
【請求項７】
異なる動作周波数帯域幅を有する移動局に対応するＯＦＤＭ方式の下りリンク無線アクセスが行われる移動通信システムにおいて、下りリンク制御チャネルに含まれる報知情報及び／またはページングインジケーター情報を受信するための下りリンク制御情報受信方法において、
最大周波数帯域幅を含むＢｎ（ｎ＝１，２，３，・・・）移動局クラスの全ての移動局に対応した前記報知情報及び／またはページングインジケーター情報が、前記動作周波数帯域幅Ｂｎのうち最小周波数帯域幅にマッピングされ、さらに該最小周波数帯域幅にマッピングされた前記報知情報及び／またはページングインジケーター情報と同じ情報が、前記Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局が受信したとき、
該Ｂｎ移動局クラスの移動局は、前記報知情報及び／またはページングインジケーター情報を受信する際に受信品質が劣化した場合、自身のＢｎ移動局クラスの動作周波数帯域幅に直接もしくは段階的に制御を広げ、
前記最小周波数帯域幅にマッピングされた前記報知情報及び／またはページングインジケーター情報と同じ情報は、前記Ｂｎの全ての周波数帯域幅Ｂｎ−Ｂｍ（ｎ，ｍ＞１；ｎ−ｍ＝１）に異なる拡散方式を用いて分散してマッピングされていることを特徴とする下りリンク制御情報受信方法。
【請求項８】
異なる動作周波数帯域幅を有する移動局に対応するＯＦＤＭ方式の下りリンク無線アクセスが行われる移動通信システムにおいて、下りリンク制御チャネルに含まれる報知情報及び／またはページングインジケーター情報を受信するための下りリンク制御情報受信方法において、
最大周波数帯域幅を含むＢｎ（ｎ＝１，２，３，・・・）移動局クラスの全ての移動局に対応した前記報知情報及び／またはページングインジケーター情報が、前記動作周波数帯域幅Ｂｎのうち最小周波数帯域幅にマッピングされ、さらに該最小周波数帯域幅にマッピングされた前記報知情報及び／またはページングインジケーター情報と同じ情報が、前記Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局が受信したとき、
該Ｂｎ移動局クラスの移動局は、前記報知情報及び／またはページングインジケーター情報を受信する際に受信品質が劣化した場合、自身のＢｎ移動局クラスの動作周波数帯域幅に直接もしくは段階的に制御を広げ、
前記最小周波数帯域幅にマッピングされた前記報知情報及び／またはページングインジケーター情報と同じ情報は、前記Ｂｎの全ての周波数帯域幅Ｂｎ−Ｂｍ（ｎ，ｍ＞１；ｎ−ｍ＝１）に異なる送信電力を用いて分散してマッピングされていることを特徴とする下りリンク制御情報受信方法。
【請求項９】
異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報をマッピングする基地局装置において、
該基地局装置は、最大周波数帯域幅を含むＢｎ（ｎ＝１，２，３・・・）移動局クラスの全ての移動局装置に対応した前記報知情報及び／またはページングインジケーター情報を、前記動作周波数帯域幅Ｂｎのうちの最小周波数帯域幅にマッピングするとともに、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に分散してマッピングし、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に異なる誤り訂正方式の冗長ビットを用いて分散してマッピングすることを特徴とする基地局装置。
【請求項１０】
異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報をマッピングする基地局装置において、
該基地局装置は、最大周波数帯域幅を含むＢｎ（ｎ＝１，２，３・・・）移動局クラスの全ての移動局装置に対応した前記報知情報及び／またはページングインジケーター情報を、前記動作周波数帯域幅Ｂｎのうちの最小周波数帯域幅にマッピングするとともに、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に分散してマッピングし、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に異なる変調方式を用いて分散してマッピングすることを特徴とする基地局装置。
【請求項１１】
異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報をマッピングする基地局装置において、
該基地局装置は、最大周波数帯域幅を含むＢｎ（ｎ＝１，２，３・・・）移動局クラスの全ての移動局装置に対応した前記報知情報及び／またはページングインジケーター情報を、前記動作周波数帯域幅Ｂｎのうちの最小周波数帯域幅にマッピングするとともに、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に分散してマッピングし、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に異なる拡散方式を用いて分散してマッピングすることを特徴とする基地局装置。
【請求項１２】
異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報をマッピングする基地局装置において、
該基地局装置は、最大周波数帯域幅を含むＢｎ（ｎ＝１，２，３・・・）移動局クラスの全ての移動局装置に対応した前記報知情報及び／またはページングインジケーター情報を、前記動作周波数帯域幅Ｂｎのうちの最小周波数帯域幅にマッピングするとともに、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に分散してマッピングし、
前記最小周波数帯域幅にマッピングした前記報知情報及び／またはページングインジケーター情報と同じ情報を、前記Ｂｎの全ての周波数帯域幅Ｂｎ−Ｂｍ（ｎ，ｍ＞１；ｎ−ｍ＝１）に異なる送信電力を用いて分散してマッピングすることを特徴とする基地局装置。
【請求項１３】
異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報を受信する移動局装置において、
最大周波数帯域幅を含むＢｎ（ｎ＝１，２，３，・・・）移動局クラスの全ての移動局装置に対応した前記報知情報及び／またはページングインジケーター情報が、前記動作周波数帯域幅Ｂｎのうち最小周波数帯域幅にマッピングされ、さらに該最小周波数帯域幅にマッピングされた前記報知情報及び／またはページングインジケーター情報と同じ情報が、前記Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局装置が受信したとき、
該Ｂｎ移動局クラスの移動局装置は、前記報知情報及び／またはページングインジケーター情報を受信する際に受信品質が劣化した場合、自身のＢｎ移動局クラスの動作周波数帯域幅に直接もしくは段階的に制御を広げ、
前記最小周波数帯域幅にマッピングされた前記報知情報及び／またはページングインジケーター情報と同じ情報は、前記Ｂｎの全ての周波数帯域幅Ｂｎ−Ｂｍ（ｎ，ｍ＞１；ｎ−ｍ＝１）に異なる誤り訂正方式、または異なる誤り訂正方式の冗長ビットを用いて分散してマッピングされていることを特徴とする移動局装置。
【請求項１４】
異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報を受信する移動局装置において、
最大周波数帯域幅を含むＢｎ（ｎ＝１，２，３，・・・）移動局クラスの全ての移動局装置に対応した前記報知情報及び／またはページングインジケーター情報が、前記動作周波数帯域幅Ｂｎのうち最小周波数帯域幅にマッピングされ、さらに該最小周波数帯域幅にマッピングされた前記報知情報及び／またはページングインジケーター情報と同じ情報が、前記Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局装置が受信したとき、
該Ｂｎ移動局クラスの移動局装置は、前記報知情報及び／またはページングインジケーター情報を受信する際に受信品質が劣化した場合、自身のＢｎ移動局クラスの動作周波数帯域幅に直接もしくは段階的に制御を広げ、
前記最小周波数帯域幅にマッピングされた前記報知情報及び／またはページングインジケーター情報と同じ情報は、前記Ｂｎの全ての周波数帯域幅Ｂｎ−Ｂｍ（ｎ，ｍ＞１；ｎ−ｍ＝１）に異なる変調方式を用いて分散してマッピングされていることを特徴とする移動局装置。
【請求項１５】
異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報を受信する移動局装置において、
最大周波数帯域幅を含むＢｎ（ｎ＝１，２，３，・・・）移動局クラスの全ての移動局装置に対応した前記報知情報及び／またはページングインジケーター情報が、前記動作周波数帯域幅Ｂｎのうち最小周波数帯域幅にマッピングされ、さらに該最小周波数帯域幅にマッピングされた前記報知情報及び／またはページングインジケーター情報と同じ情報が、前記Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局装置が受信したとき、
該Ｂｎ移動局クラスの移動局装置は、前記報知情報及び／またはページングインジケーター情報を受信する際に受信品質が劣化した場合、自身のＢｎ移動局クラスの動作周波数帯域幅に直接もしくは段階的に制御を広げ、
前記最小周波数帯域幅にマッピングされた前記報知情報及び／またはページングインジケーター情報と同じ情報は、前記Ｂｎの全ての周波数帯域幅Ｂｎ−Ｂｍ（ｎ，ｍ＞１；ｎ−ｍ＝１）に異なる拡散方式を用いて分散してマッピングされていることを特徴とする移動局装置。
【請求項１６】
異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報を受信する移動局装置において、
最大周波数帯域幅を含むＢｎ（ｎ＝１，２，３，・・・）移動局クラスの全ての移動局装置に対応した前記報知情報及び／またはページングインジケーター情報が、前記動作周波数帯域幅Ｂｎのうち最小周波数帯域幅にマッピングされ、さらに該最小周波数帯域幅にマッピングされた前記報知情報及び／またはページングインジケーター情報と同じ情報が、前記Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局装置が受信したとき、
該Ｂｎ移動局クラスの移動局装置は、前記報知情報及び／またはページングインジケーター情報を受信する際に受信品質が劣化した場合、自身のＢｎ移動局クラスの動作周波数帯域幅に直接もしくは段階的に制御を広げ、
前記最小周波数帯域幅にマッピングされた前記報知情報及び／またはページングインジケーター情報と同じ情報は、前記Ｂｎの全ての周波数帯域幅Ｂｎ−Ｂｍ（ｎ，ｍ＞１；ｎ−ｍ＝１）に異なる送信電力を用いて分散してマッピングされていることを特徴とする移動局装置。
【請求項１７】
請求項１ないし４のいずれか１に記載の下りリンク制御情報マッピング方法をコンピュータに実行させるためのプログラム。
【請求項１８】
請求項５ないし８のいずれか１に記載の下りリンク制御情報受信方法をコンピュータに実行させるためのプログラム。
【請求項１９】
請求項１７または１８に記載のプログラムをコンピュータ読み取り可能に記録した記録媒体。
【発明の詳細な説明】
【技術分野】
【０００１】
本発明は移動通信システムにおける下りリンク制御情報のマッピング方法、共通制御情報の受信方法、基地局装置及び移動局装置、及びこれらを実行するプログラム及び記録媒体に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式が第三世代セルラー移動通信方式として標準化され、順次サービスが開始されている（例えば、非特許文献１参照）。Ｗ−ＣＤＭＡ方式の一つは、５ＭＨｚ無線周波数帯域幅を持つ周波数分割複信（ＦＤＤ：Ｆｒｅｑｕｅｎｃｙ  Ｄｉｖｉｓｉｏｎ  Ｄｕｐｌｅｘ）のスペクトル拡散方式であり、各無線物理チャネルは拡散符号により区別され、符号多重され、同じ無線周波数帯域幅により伝送されている。
【０００３】
Ｗ−ＣＤＭＡ方式では、移動局から基地局への無線リンク（以下、上りリンクと称する）と、基地局から移動局への無線リンク（以下、下りリンク）がある。上り・下りリンクおいて、レイヤ３とレイヤ２の間のＳＡＰ（Ｓｅｒｖｉｃｅ  Ａｃｃｅｓｓ  Ｐｏｉｎｔ）では論理チャネル（Ｌｏｇｉｃａｌ  Ｃｈａｎｎｅｌ）、レイヤ１がレイヤ２にサービスを提供するためにトランスポートチャネル（Ｔｒａｎｓｐｏｒｔ  Ｃｈａｎｎｅｌ）、トランスポートチャネルの伝送を実際の無線伝送路を使って実現するために、レイヤ１の無線ノード（基地局と移動局）の間の伝送チャネルとして定義されている物理チャネル（Ｐｈｙｓｉｃａｌ  Ｃｈａｎｎｅｌ）がある（例えば、非特許文献２参照）。
【０００４】
Ｗ−ＣＤＭＡの下りリンクの物理チャネルとして、共通パイロットチャネルＣＰＩＣＨ（Ｃｏｍｍｏｎ  Ｐｉｌｏｔ  Ｃｈａｎｎｅｌ）、同期チャネルＳＣＨ（Ｓｙｎｃｈｒｏｎｉｓａｔｉｏｎ  Ｃｈａｎｎｅｌ）、ページングインジケーターチャネルＰＩＣＨ（Ｐａｇｉｎｇ  Ｉｎｄｉｃａｔｏｒ  Ｃｈａｎｎｅｌ）、第一共通制御物理チャネルＰ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）、第二共通制御物理チャネルＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）、下り個別物理データチャネルＤＰＤＣＨ（Ｄｅｄｉｃａｔｅｄ  Ｐｈｙｓｉｃａｌ  Ｄａｔａ  Ｃｈａｎｎｅｌ）、下り個別物理制御チャネルＤＰＣＣＨ（Ｄｅｄｉｃａｔｅｄ  Ｐｈｙｓｉｃａｌ  Ｃｏｎｔｒｏｌ  Ｃｈａｎｎｅｌ）、獲得インジケーターチャネルＡＩＣＨ（Ａｃｑｕｉｓｉｔｉｏｎ  Ｉｎｄｉｃａｔ  Ｃｈａｎｎｅｌ）、などがある。
【０００５】
Ｗ−ＣＤＭＡの上りリンクの物理チャネルとして、物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）、上り個別物理データチャネルＤＰＤＣＨ、上り個別物理制御チャネルＤＰＣＣＨ、がある。
【０００６】
Ｗ−ＣＤＭＡの下りリンクにおいて、第一共通制御物理チャネルＰ−ＣＣＰＣＨには、トランスポートチャネルの報知チャネルＢＣＨ（Ｂｒｏａｄｃａｓｔ  Ｃｈａｎｎｅｌ）、第二共通制御物理チャネルＳ−ＣＣＰＣＨには、下りアクセスチャネルＦＡＣＨ（Ｆｏｒｗａｒｄ  Ａｃｃｅｓｓ  Ｃｈａｎｎｅｌ）及びページングチャネルＰＣＨ（Ｐａｇｉｎｇ  Ｃｈａｎｎｅｌ）が含まれている。下り個別物理データチャネルＤＰＤＣＨには、トランスポートチャネルの下り個別チャネルＤＣＨ（Ｄｅｄｉｃａｔｅｄ  Ｃｈａｎｎｅｌ）が含まれている。
【０００７】
Ｗ−ＣＤＭＡの上りリンクにおいて、物理ランダムアクセスチャネルＰＲＡＣＨには、トランスポートチャネルのランダムアクセスチャネルＲＡＣＨ（Ｒａｎｄｏｍ  Ａｃｃｅｓｓ  Ｃｈａｎｎｅｌ）、上り個別物理データチャネルＤＰＤＣＨには、上り個別チャネルＤＣＨ（Ｄｅｄｉｃａｔｅｄ  Ｃｈａｎｎｅｌ）が含まれている。
【０００８】
また、Ｗ−ＣＤＭＡ方式の下りリンクを高速パケット通信に適用した高速下りリンクパケット無線アクセスＨＳＤＰＡ（Ｈｉｇｈ  Ｓｐｅｅｄ  Ｄｏｗｎｌｉｎｋ  Ｐａｃｋｅｔ  Ａｃｃｅｓｓ）（非特許文献３）方式が標準化されている。
【０００９】
ＨＳＤＰＡ方式の下りリンク物理チャネルとして、高速物理下り共用チャネルＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）、ＨＳ−ＤＳＣＨ関連共用制御チャネルＨＳ−ＳＣＣＨ（ＨＳ−ＤＳＣＨ−ｒｅｌａｔｅｄ  Ｓｈａｒｅｄ  Ｃｏｎｔｒｏｌ  Ｃｈａｎｎｅｌ）がある。
【００１０】
ＨＳＤＰＡ方式の上りリンク物理チャネルとして、ＨＳ−ＤＳＣＨ関連上り個別物理制御チャンルＨＳ−ＤＰＣＣＨ（Ｄｅｄｉｃａｔｅｄ  Ｐｈｙｓｉｃａｌ  Ｃｏｎｔｒｏｌ  Ｃｈａｎｎｅｌ  ｆｏｒ  ＨＳ−ＤＳＣＨ）がある。
【００１１】
ＨＳＤＰＡの下りリンクにおいて、高速物理下り共用チャネルＨＳ−ＰＤＳＣＨには、トランスポートチャネルの高速下り共用チャネルＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）が含まれている。
【００１２】
次に、Ｗ−ＣＤＭＡの主な物理チャネルとトランスポートチャネルの概要を簡単に説明する。
共通パイロットチャネルＣＰＩＣＨは、下りリンクの共通チャネルであり、各セルに１つ存在し、主に下りチャネルの伝搬路状況推定（チャネル推定、Ｃｈａｎｎｅｌ  Ｅｓｔｍｉｄａｔｉｏｎ）、移動局のセル選択（セルサーチ、Ｃｅｌｌ  Ｓｅａｒｃｈ）、同一セルの他の下り物理チャネルのタイミング基準などとして使用されている。
また同期チャネルＳＣＨは、下りリンクの共通チャネルであり、各セルに１つ存在し、移動局セルサーチ初期段階に使われている。
【００１３】
ページングインジケーターチャネルＰＩＣＨは、下りリンクの共通チャネルであり、ページング信号がマッピングされる第二共通制御物理チャネルＳ−ＣＣＰＣＨに対応したトランスポートチャネルのページングチャネルＰＣＨ（Ｐａｇｉｎｇ  Ｃｈａｎｎｅｌ）と対で存在し、移動局の集まりである各着信群に対する音声呼（ＣＳ：  Ｃｉｒｃｕｉｔ  Ｓｗｉｔｃｈ）またはパケット呼（ＰＳ：  Ｐａｃｋｅｔ  Ｓｗｉｔｃｈ）の着信情報の有無を送信する。着信群＃ｎ番に属する移動局は、ページングインジケーターチャネルＰＩＣＨにて着信群＃ｎ番に対する着信がありと通知された場合に、第二共通制御物理チャネルＳ−ＣＣＰＣＨにマッピングされた対応する無線フレーム内のページングチャネルＰＣＨを受信し、着信の有無を判断する。
【００１４】
ページングインジケーターチャネルＰＩＣＨは、移動局のバッテリーセービングの向上のため、間欠受信（ＩＲ：Ｉｎｔｅｒｍｉｔｔｅｎｔ  Ｒｅｃｅｐｔｉｏｎ）比率を低減することを目的として設定されたチャネルである。ページングインジケーターチャネルＰＩＣＨは移動局に対する着信の有無を通知するための、着信群＃ｎ番に属する移動局に対して短いページングインジケーターＰＩ（Ｐａｇｉｎｇ  Ｉｎｄｉｃａｔｏｒ）を送信しており、待受け（アイドルモード）中の移動局は通常このページングインジケーターＰＩのみを受信する。移動局は、ページングインジケーターＰＩにて着信があることを知らされた場合のみ、ページングインジケーターＰＩに対応するページングチャンルＰＣＨを受信する。
【００１５】
ページングインジケーターＰＩは複数の着信群＃ｎ番に群分けされており、１つの着信群＃ｎ番あたりの着信頻度を極めて低くできるため、待受け（アイドルモード）中の移動局は短いページングインジケーターＰＩのみを受信すればよく、長い（情報量が多い）ページングチャネルＰＣＨのページング信号を受信する頻度を極めて低くできる。
【００１６】
第一共通制御物理チャネルＰ−ＣＣＰＣＨは、下りリンクの共通チャネルであり、各セルに１つ存在し、トランスポートチャネルの報知チャネルＢＣＨ（Ｂｒｏａｄｃａｓｔ  Ｃｈａｎｎｅｌ）がマッピングされ、システム情報、セル情報など報知情報を送信する。
【００１７】
第二共通制御物理チャネルＳ−ＣＣＰＣＨは、下りリンクの共通チャネルであり、各セルに複数存在が可能である。トランスポートチャネルである下りアクセスチャネルＦＡＣＨ（Ｆｏｒｗａｒｄ  Ａｃｃｅｓｓ  Ｃｈａｎｎｅｌ）とページングチャネルＰＣＨ（Ｐａｇｉｎｇ  Ｃｈａｎｎｅｌ）がマッピングされている。下りアクセスチャネルＦＡＣＨは、下りリンクの共通チャネルで、制御情報及びユーザデータの送信に使用する。ここで下りアクセスチャネルＦＡＣＨは、複数の移動局で共有して使用され、上位レイヤからの低レートのデータ送信などに使用されている。
【００１８】
ページングチャネルＰＣＨは、下り共通チャネルであり、上記のように、ページングインジケーターチャネルＰＩＣＨと対で存在し、ページング信号の送信に使われる。ページング信号には移動局ＩＤ（ＵＥ  ｉｄｅｎｔｉｔｙ）、コアネットワークＩＤ（ＣＮ  ｉｄｅｎｔｉｔｙ）、ページングケース（Ｐａｇｉｎｇ  ｃａｕｓｅ）、報知情報更新通知、再位置登録通知などメッセージが含まれている。
【００１９】
下り／上り個別物理データチャネルＤＰＤＣＨ、下り／上り個別物理制御チャネルＤＰＣＣＨについては、下りリンクでは、下り個別物理データチャネルＤＰＤＣＨと下り個別物理制御チャネルＤＰＣＣＨはタイムスロット内時間多重され、上りリンクでは、上り個別物理データチャネルＤＰＤＣＨと上り個別物理制御チャネルＤＰＣＣＨがＩ相とＱ相にそれぞれマッピングされる。下り／上り個別物理データチャネルＤＰＤＣＨは、移動局に対して１つ以上割当てられ（拡散符号多重）、上位レイヤからのデータ送信のために使用する。下り／上り個別物理制御チャネルＤＰＣＣＨは、移動局に対して１つのみ割当てられ、物理レイヤ制御に使われる。
【００２０】
獲得インジケーターチャネルＡＩＣＨは、下りリンクの共通チャネルで、物理ランダムアクセスチャネルＰＲＡＣＨと対で存在する。物理ランダムアクセスチャネルＰＲＡＣＨのランダムアクセス制御に使用する。
【００２１】
物理ランダムアクセスチャネルＰＲＡＣＨは、上りリンクの共通チャネルで、トランスポートチャネルであるランダムアクセスチャネルＲＡＣＨがマッピングされている。ランダムアクセスが適用され、発信時の制御情報送信に使われている。また、上位レイヤからのデータ送信（主に低いレート）のためにも使用される。
【００２２】
次に、ＨＳＤＰＡ方式の主な物理チャネルとトランスポートチャネルの概要を簡単に説明する。
ＨＳＤＰＡ方式の高速物理下り共用チャネルＨＳ−ＰＤＳＣＨは、下りリンクの共用チャネルで、複数の移動局が共用し、各移動局にトランスポートチャネルの高速下り共用チャネルＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）が含まれる。上位レイヤから各移動局宛てのパケットデータの送信に使用する。
【００２３】
ＨＳＤＰＡ方式のＨＳ−ＤＳＣＨ関連共用制御チャネルＨＳ−ＳＣＣＨは、下りリンクの共用チャネルで、複数の移動局が共用し、各移動局に高速下り共用チャネルＨＳ−ＤＳＣＨの復調に必要な情報（移動局ＩＤ、変調方式、拡散コード）、誤り訂正復号処理やハイブリッド自動再送ＨＡＲＱ（Ｈｙｂｒｉｄ  Ａｕｔｏｍａｔｉｃ  Ｒｅｐｅａｔ  ｒｅＱｕｅｓｔ）処理に必要な情報を送信する。
【００２４】
ＨＳ−ＤＳＣＨ関連上り個別物理制御チャンルＨＳ−ＤＰＣＣＨは、上りリンクの個別制御チャネルで、下りリンク無線伝搬路状況を表す下りリンク品質情報ＣＱＩ（Ｃｈａｎｎｅｌ  Ｑｕａｌｉｔｙ  Ｉｎｄｉｃａｔｉｏｎ）と、ハイブリッド自動再送ＨＡＲＱに対応した受信確認情報であるＡＣＫ／ＮＡＣＫ（Ａｃｋｎｏｗｌｅｄｇｅｍｅｎｔ／Ｎｅｇａｔｉｖｅ  Ａｃｋｎｏｗｌｅｄｇｅｍｅｎｔｓ）の送信に使われている。
【００２５】
一方、第三世代無線アクセスの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ、以下、ＥＵＴＲＡとする）及び第三世代無線アクセスネットワークの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、以下、ＥＵＴＲＡＮとする）が検討されている。ＥＵＴＲＡの下りリンクとして、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が提案されている。ＥＵＴＲＡ技術として、ＯＦＤＭ方式にチャネル符号化等の適応無線リンク制御（リンクアダプテーション、Ｌｉｎｋ  Ａｄａｐｔｉｖｅｉｏｎ）に基づく適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ、以降ＡＭＣＳ方式と称する）といった技術が適用されている。
【００２６】
ＡＭＣＳ方式とは、高速パケットデータ伝送を効率的に行うために、各移動局の伝搬路状況に応じて、誤り訂正方式、誤り訂正の符号化率、データ変調多値数、時間・周波数軸の符号拡散率（ＳＦ：Ｓｐｒｅａｄｉｎｇ  Ｆａｃｔｏｒ）、及び拡散符号多重数などの無線伝送パラメーター（以下、ＡＭＣモードと称する）を切り替える方式である。例えば、データ変調については、伝搬路状況が良好になるに従って、ＱＰＳＫ（Ｑｕａｄｒａｔｕｒｅ  Ｐｈａｓｅ  Ｓｈｉｆｔ  Ｋｅｙｉｎｇ）変調から、８ＰＳＫ変調、１６ＱＡＭ（Ｑｕａｄｒａｔｕｒｅ  Ａｍｐｌｉｔｕｄｅ  Ｍｏｄｕｌａｔｉｏｎ）変調など、より高い効率の多値変調に切り替えることで、通信システムの最大スループットを増大させることができる。
【００２７】
ＯＦＤＭ方式における下り物理チャネル、トランスポートチャネルの配置について、Ｓｐａｒｅｄ−ＯＦＤＭ方式（例えば、特許文献１参照）では、拡散符号多重により物理制御チャネルと物理データチャネルが同じ周波数帯域に多重する方法が提案されている。また、Ｎｏｎ  Ｓｐｒｅａｄ−ＯＦＤＭ方式（例えば、無線ＬＡＮ規格８０２．１６など）では、ＯＦＤＭの周波数軸（サブキャリア）と時間軸（ＯＦＤＭシンボル）のリソースを用いて、時間分割多重ＴＤＭ（Ｔｉｍｅ  Ｄｉｖｉｏｎ  Ｍｕｌｔｉｐｌｅｘｉｎｇ）、周波数分割多重ＦＤＭ（Ｆｒｅｑｕｅｎｃｙ  Ｄｉｖｉｏｎ  Ｍｕｌｔｉｐｌｅｘｉｎｇ）、またはＴＤＭ・ＦＤＭの組み合わせで時間・周波数に多重する方法が提案されている。
【００２８】
また、ＥＵＴＲＡ／ＥＵＴＲＡＮの技術要求条件（例えば、非特許文献４参照）が提案され、既存の２Ｇ、３Ｇサービスとの融合、共存のため、スペクトル柔軟性（Ｓｐｅｃｔｒｕｍ  Ｆｌｅｘｉｂｉｌｉｔｙ）が要求され、異なるサイズのスペクトル（周波数帯域幅、例えば、１．２５ＭＨｚ、２．５ＭＨｚ、５ＭＨｚ、１０ＭＨｚ、２０ＭＨｚ）に対する周波数割り当てのサポート（Ｓｕｐｐｏｒｔ  ｆｏｒ  ｓｐｅｃｔｒｕｍ  ａｌｌｏｃａｔｉｏｎｓ  ｏｆ  ｄｉｆｆｅｒｅｎｔ  ｓｉｚｅ）が要求されている。
【特許文献１】特開２００１−２３７８０３号公報
【特許文献２】特開２００４−１９７７５６号公報
【非特許文献１】３ＧＰＰ  ＴＳ  ２５．２１１、Ｖ６．４．０（２００５−０３）、Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ．ｈｔｔｐ：／／ｗｗｗ．３ｇｐｐ．ｏｒｇ／ｆｔｐ／Ｓｐｅｃｓ／ｈｔｍｌ−ｉｎｆｏ／２５−ｓｅｒｉｅｓ．ｈｔｍ
【非特許文献２】立川  敬二、“Ｗ−ＣＤＭＡ移動通信方式”、ＩＳＢＮ４−６２１−０４８９４−５、Ｐ１０３、Ｐ１１５など
【非特許文献３】３ＧＰＰ  ＴＲ（Ｔｅｃｈｎｉｃａｌ  Ｒｅｐｏｒｔ）２５．８５８、及び３ＧＰＰのＨＳＤＰＡ仕様関連資料．ｈｔｔｐ：／／ｗｗｗ．３ｇｐｐ．ｏｒｇ／ｆｔｐ／Ｓｐｅｃｓ／ｈｔｍｌ−ｉｎｆｏ／２５−ｓｅｒｉｅｓ．ｈｔｍ
【非特許文献４】３ＧＰＰ  ＴＲ（Ｔｅｃｈｎｉｃａｌ  Ｒｅｐｏｒｔ）２５．９１３、Ｖ２．１．０（２００５−０５）、Ｒｅｑｕｉｒｅｍｅｎｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＵＴＲＡ）  ａｎｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）．ｈｔｔｐ：／／ｗｗｗ．３ｇｐｐ．ｏｒｇ／ｆｔｐ／Ｓｐｅｃｓ／ｈｔｍｌ−ｉｎｆｏ／２５９１３．ｈｔｍ
【発明の開示】
【発明が解決しようとする課題】
【００２９】
しかしながら、従来方式では、割り当てられた全体のスペクトル（例えば、５ＭＨｚ）において、各物理チャネルを配置している。例えば、前記のＷ−ＣＤＭＡ／ＨＳＤＰＡ方式では、各物理チャンルを異なる拡散符号により全体のスペクトル（５ＭＨｚ）に割り当てている。このため、ＥＵＴＲＡ／ＥＵＴＲＡＮの技術要求条件に要求されている１．２５ＭＨｚ，２．５ＭＨｚ，５ＭＨｚ，１０ＭＨｚ，２０ＭＨｚのようなさまざまな異なる周波数帯域幅に柔軟に適応ができない。
【００３０】
また、移動局において、固定の周波数帯域幅で受信を行うため、待ち受け（アイドルモード、インアクティブモードなど）の間欠受信では、間欠受信の時間間隔を最小にし、低消費電力を実現しているが、さまざまな異なる周波数帯域幅に対応した受信周波数帯域幅の変更を考慮していない。
【００３１】
本発明は、前記課題を解決するためになされたものであり、異なる周波数帯域幅（例えば、１．２５ＭＨｚ，２．５ＭＨｚ，５ＭＨｚ，１０ＭＨｚ，２０ＭＨｚ）に適応した物理チャネルのマッピング方法、特にパケットページングインジケーターＰＩ情報、パケットページング情報、報知情報及び下りアクセス情報など下りリンク制御情報のマッピング方法と、移動局の待ち受け消費電力を最小にする下りリンク制御情報の受信方法、及びこれらを実現する基地局装置、移動局装置、及びプログラム及び記録媒体を提供することを目的とする。
【課題を解決するための手段】
【００３２】
上記課題を解決するために、第１の技術手段は、異なる動作周波数帯域幅Ｂｎ（ｎ＝１，２，３・・・）を有する移動局に対応するＯＦＤＭ方式の下りリンク無線アクセスが行われる移動通信システムにおいて、下りリンク制御チャネルに含まれる報知情報及び／またはページングインジケーター情報をマッピングするための下りリンク制御情報マッピング方法において、最大周波数帯域幅を含むＢｎ（ｎ＝１，２，３・・・）移動局クラスの全ての移動局に対応した報知情報及び／またはページングインジケーター情報を、動作周波数帯域幅Ｂｎのうちの最小周波数帯域幅にマッピングするとともに、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に分散してマッピングし、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に異なる誤り訂正方式の冗長ビットを用いて分散してマッピングすることを特徴としたものである。
【００３４】
第２の技術手段は、異なる動作周波数帯域幅Ｂｎ（ｎ＝１，２，３・・・）を有する移動局に対応するＯＦＤＭ方式の下りリンク無線アクセスが行われる移動通信システムにおいて、下りリンク制御チャネルに含まれる報知情報及び／またはページングインジケーター情報をマッピングするための下りリンク制御情報マッピング方法において、最大周波数帯域幅を含むＢｎ（ｎ＝１，２，３・・・）移動局クラスの全ての移動局に対応した報知情報及び／またはページングインジケーター情報を、動作周波数帯域幅Ｂｎのうちの最小周波数帯域幅にマッピングするとともに、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に分散してマッピングし、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に異なる変調方式を用いて分散してマッピングすることを特徴としたものである。
【００３５】
第３の技術手段は、異なる動作周波数帯域幅Ｂｎ（ｎ＝１，２，３・・・）を有する移動局に対応するＯＦＤＭ方式の下りリンク無線アクセスが行われる移動通信システムにおいて、下りリンク制御チャネルに含まれる報知情報及び／またはページングインジケーター情報をマッピングするための下りリンク制御情報マッピング方法において、最大周波数帯域幅を含むＢｎ（ｎ＝１，２，３・・・）移動局クラスの全ての移動局に対応した報知情報及び／またはページングインジケーター情報を、動作周波数帯域幅Ｂｎのうちの最小周波数帯域幅にマッピングするとともに、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に分散してマッピングし、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に異なる拡散方式を用いて分散してマッピングすることを特徴としたものである。
【００３６】
第４の技術手段は、異なる動作周波数帯域幅Ｂｎ（ｎ＝１，２，３・・・）を有する移動局に対応するＯＦＤＭ方式の下りリンク無線アクセスが行われる移動通信システムにおいて、下りリンク制御チャネルに含まれる報知情報及び／またはページングインジケーター情報をマッピングするための下りリンク制御情報マッピング方法において、最大周波数帯域幅を含むＢｎ（ｎ＝１，２，３・・・）移動局クラスの全ての移動局に対応した報知情報及び／またはページングインジケーター情報を、動作周波数帯域幅Ｂｎのうちの最小周波数帯域幅にマッピングするとともに、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に分散してマッピングし、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に異なる送信電力を用いて分散してマッピングすることを特徴としたものである。
【００３７】
第５の技術手段は、異なる動作周波数帯域幅を有する移動局に対応するＯＦＤＭ方式の下りリンク無線アクセスが行われる移動通信システムにおいて、下りリンク制御チャネルに含まれる報知情報及び／またはページングインジケーター情報を受信するための下りリンク制御情報受信方法において、最大周波数帯域幅を含むＢｎ（ｎ＝１，２，３，・・・）移動局クラスの全ての移動局に対応した報知情報及び／またはページングインジケーター情報が、動作周波数帯域幅Ｂｎのうち最小周波数帯域幅にマッピングされ、さらに最小周波数帯域幅にマッピングされた報知情報及び／またはページングインジケーター情報と同じ情報が、Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局が受信したとき、Ｂｎ移動局クラスの移動局は、報知情報及び／またはページングインジケーター情報を受信する際に受信品質が劣化した場合、自身のＢｎ移動局クラスの動作周波数帯域幅に直接もしくは段階的に制御を広げ、最小周波数帯域幅にマッピングされた報知情報及び／またはページングインジケーター情報と同じ情報は、Ｂｎの全ての周波数帯域幅Ｂｎ−Ｂｍ（ｎ，ｍ＞１；ｎ−ｍ＝１）に異なる誤り訂正方式の冗長ビットを用いて分散してマッピングされていることを特徴としたものである。
【００４８】
第６の技術手段は、異なる動作周波数帯域幅を有する移動局に対応するＯＦＤＭ方式の下りリンク無線アクセスが行われる移動通信システムにおいて、下りリンク制御チャネルに含まれる報知情報及び／またはページングインジケーター情報を受信するための下りリンク制御情報受信方法において、最大周波数帯域幅を含むＢｎ（ｎ＝１，２，３，・・・）移動局クラスの全ての移動局に対応した報知情報及び／またはページングインジケーター情報が、動作周波数帯域幅Ｂｎのうち最小周波数帯域幅にマッピングされ、さらに最小周波数帯域幅にマッピングされた報知情報及び／またはページングインジケーター情報と同じ情報が、Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局が受信したとき、Ｂｎ移動局クラスの移動局は、報知情報及び／またはページングインジケーター情報を受信する際に受信品質が劣化した場合、自身のＢｎ移動局クラスの動作周波数帯域幅に直接もしくは段階的に制御を広げ、最小周波数帯域幅にマッピングされた報知情報及び／またはページングインジケーター情報と同じ情報は、Ｂｎの全ての周波数帯域幅Ｂｎ−Ｂｍ（ｎ，ｍ＞１；ｎ−ｍ＝１）に異なる変調方式を用いて分散してマッピングされていることを特徴としたものである。
【００４９】
第７の技術手段は、異なる動作周波数帯域幅を有する移動局に対応するＯＦＤＭ方式の下りリンク無線アクセスが行われる移動通信システムにおいて、下りリンク制御チャネルに含まれる報知情報及び／またはページングインジケーター情報を受信するための下りリンク制御情報受信方法において、最大周波数帯域幅を含むＢｎ（ｎ＝１，２，３，・・・）移動局クラスの全ての移動局に対応した報知情報及び／またはページングインジケーター情報が、動作周波数帯域幅Ｂｎのうち最小周波数帯域幅にマッピングされ、さらに最小周波数帯域幅にマッピングされた報知情報及び／またはページングインジケーター情報と同じ情報が、Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局が受信したとき、Ｂｎ移動局クラスの移動局は、報知情報及び／またはページングインジケーター情報を受信する際に受信品質が劣化した場合、自身のＢｎ移動局クラスの動作周波数帯域幅に直接もしくは段階的に制御を広げ、最小周波数帯域幅にマッピングされた報知情報及び／またはページングインジケーター情報と同じ情報は、Ｂｎの全ての周波数帯域幅Ｂｎ−Ｂｍ（ｎ，ｍ＞１；ｎ−ｍ＝１）に異なる拡散方式を用いて分散してマッピングされていることを特徴としたものである。
【００５０】
第８の技術手段は、異なる動作周波数帯域幅を有する移動局に対応するＯＦＤＭ方式の下りリンク無線アクセスが行われる移動通信システムにおいて、下りリンク制御チャネルに含まれる報知情報及び／またはページングインジケーター情報を受信するための下りリンク制御情報受信方法において、最大周波数帯域幅を含むＢｎ（ｎ＝１，２，３，・・・）移動局クラスの全ての移動局に対応した報知情報及び／またはページングインジケーター情報が、動作周波数帯域幅Ｂｎのうち最小周波数帯域幅にマッピングされ、さらに最小周波数帯域幅にマッピングされた報知情報及び／またはページングインジケーター情報と同じ情報が、Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局が受信したとき、Ｂｎ移動局クラスの移動局は、報知情報及び／またはページングインジケーター情報を受信する際に受信品質が劣化した場合、自身のＢｎ移動局クラスの動作周波数帯域幅に直接もしくは段階的に制御を広げ、最小周波数帯域幅にマッピングされた報知情報及び／またはページングインジケーター情報と同じ情報は、Ｂｎの全ての周波数帯域幅Ｂｎ−Ｂｍ（ｎ，ｍ＞１；ｎ−ｍ＝１）に異なる送信電力を用いて分散してマッピングされていることを特徴としたものである。
【００５１】
第９の技術手段は、異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報をマッピングする基地局装置において、基地局装置は、最大周波数帯域幅を含むＢｎ（ｎ＝１，２，３・・・）移動局クラスの全ての移動局装置に対応した報知情報及び／またはページングインジケーター情報を、動作周波数帯域幅Ｂｎのうちの最小周波数帯域幅にマッピングするとともに、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に分散してマッピングし、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に異なる誤り訂正方式の冗長ビットを用いて分散してマッピングすることを特徴としたものである。
【００５２】
第１０の技術手段は、異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報をマッピングする基地局装置において、基地局装置は、最大周波数帯域幅を含むＢｎ（ｎ＝１，２，３・・・）移動局クラスの全ての移動局装置に対応した報知情報及び／またはページングインジケーター情報を、動作周波数帯域幅Ｂｎのうちの最小周波数帯域幅にマッピングするとともに、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に分散してマッピングし、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に異なる変調方式を用いて分散してマッピングすることを特徴としたものである。
【００６２】
第１１の技術手段は、異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報をマッピングする基地局装置において、基地局装置は、最大周波数帯域幅を含むＢｎ（ｎ＝１，２，３・・・）移動局クラスの全ての移動局装置に対応した報知情報及び／またはページングインジケーター情報を、動作周波数帯域幅Ｂｎのうちの最小周波数帯域幅にマッピングするとともに、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に分散してマッピングし、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に異なる拡散方式を用いて分散してマッピングすることを特徴としたものである。
【００６４】
第１２の技術手段は、異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報をマッピングする基地局装置において、基地局装置は、最大周波数帯域幅を含むＢｎ（ｎ＝１，２，３・・・）移動局クラスの全ての移動局装置に対応した報知情報及び／またはページングインジケーター情報を、動作周波数帯域幅Ｂｎのうちの最小周波数帯域幅にマッピングするとともに、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に分散してマッピングし、最小周波数帯域幅にマッピングした報知情報及び／またはページングインジケーター情報と同じ情報を、Ｂｎの全ての周波数帯域幅Ｂｎ−Ｂｍ（ｎ，ｍ＞１；ｎ−ｍ＝１）に異なる送信電力を用いて分散してマッピングすることを特徴としたものである。
【００６５】
第１３の技術手段は、異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報を受信する移動局装置において、最大周波数帯域幅を含むＢｎ（ｎ＝１，２，３，・・・）移動局クラスの全ての移動局装置に対応した報知情報及び／またはページングインジケーター情報が、動作周波数帯域幅Ｂｎのうち最小周波数帯域幅にマッピングされ、さらに最小周波数帯域幅にマッピングされた報知情報及び／またはページングインジケーター情報と同じ情報が、Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局装置が受信したとき、Ｂｎ移動局クラスの移動局装置は、報知情報及び／またはページングインジケーター情報を受信する際に受信品質が劣化した場合、自身のＢｎ移動局クラスの動作周波数帯域幅に直接もしくは段階的に制御を広げ、最小周波数帯域幅にマッピングされた報知情報及び／またはページングインジケーター情報と同じ情報は、Ｂｎの全ての周波数帯域幅Ｂｎ−Ｂｍ（ｎ，ｍ＞１；ｎ−ｍ＝１）に異なる誤り訂正方式、または異なる誤り訂正方式の冗長ビットを用いて分散してマッピングされていることを特徴としたものである。
【００６６】
第１４の技術手段は、異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報を受信する移動局装置において、最大周波数帯域幅を含むＢｎ（ｎ＝１，２，３，・・・）移動局クラスの全ての移動局装置に対応した報知情報及び／またはページングインジケーター情報が、動作周波数帯域幅Ｂｎのうち最小周波数帯域幅にマッピングされ、さらに最小周波数帯域幅にマッピングされた報知情報及び／またはページングインジケーター情報と同じ情報が、Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局装置が受信したとき、Ｂｎ移動局クラスの移動局装置は、報知情報及び／またはページングインジケーター情報を受信する際に受信品質が劣化した場合、自身のＢｎ移動局クラスの動作周波数帯域幅に直接もしくは段階的に制御を広げ、記最小周波数帯域幅にマッピングされた報知情報及び／またはページングインジケーター情報と同じ情報は、Ｂｎの全ての周波数帯域幅Ｂｎ−Ｂｍ（ｎ，ｍ＞１；ｎ−ｍ＝１）に異なる変調方式を用いて分散してマッピングされていることを特徴としたものである。
【００６７】
第１５の技術手段は、異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報を受信する移動局装置において、最大周波数帯域幅を含むＢｎ（ｎ＝１，２，３，・・・）移動局クラスの全ての移動局装置に対応した報知情報及び／またはページングインジケーター情報が、動作周波数帯域幅Ｂｎのうち最小周波数帯域幅にマッピングされ、さらに最小周波数帯域幅にマッピングされた報知情報及び／またはページングインジケーター情報と同じ情報が、Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局装置が受信したとき、Ｂｎ移動局クラスの移動局装置は、報知情報及び／またはページングインジケーター情報を受信する際に受信品質が劣化した場合、自身のＢｎ移動局クラスの動作周波数帯域幅に直接もしくは段階的に制御を広げ、最小周波数帯域幅にマッピングされた報知情報及び／またはページングインジケーター情報と同じ情報は、Ｂｎの全ての周波数帯域幅Ｂｎ−Ｂｍ（ｎ，ｍ＞１；ｎ−ｍ＝１）に異なる拡散方式を用いて分散してマッピングされていることを特徴としたものである。
【００７８】
第１６の技術手段は、異なる動作周波数帯域幅を有する移動局装置に対応するＯＦＤＭ方式の下りリンク無線アクセスが行われる移動通信システムにおいて、下りリンク制御チャネルに含まれる報知情報及び／またはページングインジケーター情報を受信する移動局装置において、最大周波数帯域幅を含むＢｎ（ｎ＝１，２，３，・・・）移動局クラスの全ての移動局装置に対応した報知情報及び／またはページングインジケーター情報が、動作周波数帯域幅Ｂｎのうち最小周波数帯域幅にマッピングされ、さらに最小周波数帯域幅にマッピングされた報知情報及び／またはページングインジケーター情報と同じ情報が、Ｂｎの全ての周波数帯域幅Ｂｎ−Ｂｍ（ｎ，ｍ＞１；ｎ−ｍ＝１）に分散してマッピングされた下りリンク制御情報を、動作周波数帯域幅がＢｎ（ｎ＝１，２，３・・・）移動局クラスの移動局装置が受信したとき、Ｂｎ移動局クラスの移動局装置は、報知情報及び／またはページングインジケーター情報を受信する際に受信品質が劣化した場合、自身のＢｎ移動局クラスの動作周波数帯域幅に直接もしくは段階的に制御を広げ、最小周波数帯域幅にマッピングされた報知情報及び／またはページングインジケーター情報と同じ情報は、Ｂｎの全ての周波数帯域幅Ｂｎ−Ｂｍ（ｎ，ｍ＞１；ｎ−ｍ＝１）に異なる送信電力を用いて分散してマッピングされていることを特徴としたものである。
【００９２】
第１７の技術手段は、第１ないし第４のいずれか１の技術手段における、下りリンク制御情報マッピング方法をコンピュータに実行させるためのプログラムである。
【００９３】
第１８の技術手段は、第５ないし第８のいずれか１の技術手段における、下りリンク制御情報受信方法をコンピュータに実行させるためのプログラムである。
【００９４】
第１９の技術手段は、第１７または第１８の技術手段における、プログラムをコンピュータ読み取り可能に記録した記録媒体である。
【発明の効果】
【００９５】
本発明によれば、異なる周波数帯域幅（例えば、１．２５ＭＨｚ，２．５ＭＨｚ，５ＭＨｚ，１０ＭＨｚ，２０ＭＨｚ）に適応した物理チャネルのマッピング方法、特にＥＵＴＲＡ／ＥＵＴＲＡＮが要求されているＡＩＰＮ（ＡＬＬ  Ｉｎｔｅｒｎｅｔ  Ｐｒｏｔｏｃｏｌ  Ｎｅｔｗｏｒｋ）に対応するパケット呼の有無を指すパケットのページングインジケーターＰＩ情報、パケット呼に対応するパケットのページング情報、報知情報及び下りアクセス情報など下りリンク制御情報のマッピング方法と、移動局の待ち受け消費電力を最小にする下りリンク制御情報の受信方法、及びこれらを実現する基地局装置、移動局装置、及びプログラム及び記録媒体を提供することができる。
【発明を実施するための最良の形態】
【００９６】
図１は、ＥＵＴＲＡのチャネル構成例を説明するための図で、ＥＵＴＲＡについて３ＧＰＰの提案をベースに想定されている上り・下りリンクのチャネル構成例を示すものである。ＥＵＴＲＡの下りリンク物理チャネルとして、下りリンクパイロットチャネルＤＰＣＨ（Ｄｏｗｎｌｉｎｋ  Ｐｉｌｏｔ  Ｃｈａｎｎｅｌ）、下りリンク同期チャネルＤＳＣＨ（Ｄｏｗｎｌｉｎｋ  Ｓｙｎｃｈｒｏｎｉｚａｔｉｏｎ  Ｃｈａｎｎｅｌ）、下りリンク共通制御チャネルＤＣＣＣＨ（Ｄｏｗｎｌｉｎｋ  Ｃｏｍｍｏｎ  Ｃｏｎｔｒｏｌ  Ｃｈａｎｎｅｌ）、下りリンク共用制御シグナリングチャネルＤＳＣＳＣＨ（Ｄｏｗｎｌｉｎｋ  Ｓｈａｒｅｄ  Ｃｏｎｔｒｏｌ  Ｓｉｇｎａｌｉｎｇ  Ｃｈａｎｎｅｌ）、下りリンク共用データチャネルＤＳＤＣＨ（Ｄｏｗｎｌｉｎｋ  Ｓｈａｒｅｄ  Ｄａｔａ  Ｃｈａｎｎｅｌ）により構成されている。
【００９７】
またＥＵＴＲＡの上りリンク物理チャネルとして、上りリンクコンテンションベースチャネルＵＣＢＣＨ（Ｕｐｌｉｎｋ  Ｃｏｎｔｅｎｔｉｏｎ−ｂａｓｅｄ  Ｃｈａｎｎｅｌ）、上りリンクスケジューリングチャネルＵＳＣＨ（Ｕｐｌｉｎｋ  Ｓｃｈｅｄｕｌｉｎｇ    Ｃｈａｎｎｅｌ）により構成されている。
【００９８】
次に、ＥＵＴＲＡの下りリンクチャネル及び上りリンクチャネルの概要を簡単に説明する。図２は、３ＧＰＰの提案をベースに想定されているＥＵＴＲＡとＷ−ＣＤＭＡ／ＨＳＤＰＡ方式の上り・下りリンクチャネルの対応関係を示す図である。
ＥＵＴＲＡの下りリンクにおいて、下りリンクパイロットチャネルＤＰＣＨは、下りリンク共通パイロットチャネルＤＣＰＣＨ（Ｄｏｗｎｌｉｎｋ  Ｃｏｍｍｏｎ  Ｐｉｌｏｔ  Ｃｈａｎｎｅｌ）と下りリンク個別パイロットチャネルＤＤＰＣＨ（Ｄｏｗｎｌｉｎｋ  Ｄｅｄｉｃａｔｅｄ  Ｐｉｌｏｔ  Ｃｈａｎｎｅｌ）が含まれている。
【００９９】
下りリンク共通パイロットチャネルＤＣＰＣＨはＷ−ＣＤＭＡ方式のパイロットチャネルＣＰＩＣＨに相当し、ＡＭＣＳ方式における下りリンク伝搬路状況の推定、及びセルサーチ、上り送信電力制御の伝搬路ロス測定に使用されている。下りリンク個別パイロットチャネルＤＤＰＣＨはアダブティブアレーアンテナなどセル共用アンテナと異なる伝搬路（指向性）を有するアンテナから、個別移動局に送信され、または受信品質の低い移動局に対して、下りリンク共通パイロットチャネルＤＣＰＣＨの補強の目的で使用することもできる。                
【０１００】
下り同期チャネルＤＳＣＨは、Ｗ−ＣＤＭＡ方式の同期チャネルＳＣＨに相当し、移動局のセルサーチ、ＯＦＤＭ信号の無線フレーム、タイムスロット、送信タイミング間隔ＴＴＩ（Ｔｒａｓｍｉｓｓｉｏｎ  Ｔｉｍｉｎｇ  Ｉｎｔｅｒｖａｌ）、ＯＦＤＭシンボルタイミング同期に使用されている。
下りリンク共通制御チャネルＤＣＣＣＨは、Ｗ−ＣＤＭＡ方式の第一共通制御物理チャネルＰ−ＣＣＰＣＨ、第二共通制御物理チャネルＳ−ＣＣＰＣＨ、及びページングインジケーターチャネルＰＩＣＨに相当する報知情報（報知チャネルＢＣＨ相当）、パケット呼の有無を指すパケットページングインジケーターＰＩ情報（ページングインジケーターチャネルＰＩＣＨ相当）、パケット呼に対応するパケットページング情報（ページングチャネルＰＣＨ相当）、下りアクセス情報（下りアクセスチャネルＦＡＣＨ相当）などの共通制御情報が含まれている。
【０１０１】
下りリンク共用制御シグナリングチャネルＤＳＣＳＣＨは、ＨＳＤＰＡ方式の高速物理下り共用チャネルＨＳ−ＰＤＳＣＨに含まれるＨＳ−ＤＳＣＨ関連共用制御チャネルＨＳ−ＳＣＣＨ、下り個別制御チャネルＤＰＣＣＨ、獲得インジケーターＡＩＣＨに相当し、複数の移動局が共用し、各移動局に高速下り共用チャネルＨＳ−ＤＳＣＨの復調に必要な情報（変調方式、拡散符号など）、誤り訂正復号処理やＨＡＲＱ処理に必要な情報、及び無線リソース（周波数、時間）のスケジューリング情報などの送信に使用されている。
【０１０２】
下りリンク共用データチャネルＤＳＤＣＨは、ＨＳＤＰＡ方式の高速物理下り共用チャネルＨＳ−ＰＤＳＣＨに含まれる高速下り共用チャネルＨＳ−ＤＳＣＨ、下り個別データチャネルＤＰＤＣＨに相当しは、上位レイヤから移動局宛てのパケットデータの送信に使用されている。
【０１０３】
また、上りリンクにおいて、上りリンクコンテンションベースチャネルＵＣＢＣＨには、ファーストアクセスチャネルＦＡＣＨ（Ｆａｓｔ  Ａｃｃｅｓｓ  Ｃｈａｎｎｅｌ）、予約チャネルＲＣＨ（Ｒｅｓｅｒｖａｔｉｏｎ  Ｃｈａｎｎｅｌ）及び上りリンク同期チャネルＵＳＣＨ（Ｕｐｌｉｎｋ  Ｓｙｎｃｈｒｏｎｉｚａｔｉｏｎ  Ｃｈａｎｎｅｌ）が含まれている。Ｗ−ＣＤＭＡ方式のランダムアクセスチャネルＲＡＣＨ（Ｒａｄｏｍ  Ａｃｃｅｓｓ  Ｃｈａｎｎｅｌ）に相当する。
【０１０４】
上りリンクスケジューリングチャネルＵＳＣＨは、上りリンク共用データチャネルＵＳＤＣＨ（Ｕｐｌｉｎｋ  Ｓｈａｒｅｄ  Ｄａｔａ  Ｃｈａｎｎｅｌ）及び上りリンク共用制御シクナリングチャネルＵＳＣＳＣＨ（Ｕｐｌｉｎｋ  Ｓｈａｒｅｄ  Ｃｏｎｔｒｏｌ  Ｓｉｇｎａｌｉｎｇ  Ｃｈａｎｎｅｌ）により構成されている。上りリンク共用データチャネルＵＳＤＣＨは、Ｗ−ＣＤＭＡ方式の上り個別データチャネルＤＰＤＣＨに相当し、各移動局が共用で、各移動局のパケットデータ送信に使われている。上りリンク共用制御シグナリングチャネルＵＳＣＳＣＨは、ＨＳＤＰＡ方式のＨＳ−ＤＳＣＨ関連上り個別物理制御チャンルＨＳ−ＤＰＣＣＨ、個別制御チャネル  ＤＰＤＣＨに相当し、各移動局が共用で、各移動局の下りチャネル伝搬路品質情報ＣＱＩ（Ｃｈａｎｎｅｌ  Ｑｕｌｉｔｙ  Ｉｎｄｅｃａｔｏｒ）、ＨＡＲＱなどのフィードバック情報、上りパイロット、上りリンクチャネル制御情報などの伝送に使用する。
【０１０５】
ＥＵＴＲＡについて、３ＧＰＰの提案をベースに想定されている移動局のパケット呼の発着信の流れについて説明する。
まず、図３により３ＧＰＰの提案をベースに想定されている移動局の状態遷移を示す。移動局では、電源投入後（１０）、公衆移動通信ＰＬＭＮ（Ｐｕｂｌｉｃ  Ｌａｎｄ  Ｍｏｂｉｌｅ  Ｎｅｔｗｏｒｋ）の選択／再選択、セル選択が行われる（１１）。そして移動局ではさらに位置登録更新及び報知情報が受信され（１２）、待受け状態であるアイドルモード（Ｉｄｌｅ  Ｍｏｄｅ）（１３）に遷移する。アイドルモードでは、セル選択／再選択が行われる。
【０１０６】
そして基地局から移動局に対するパケット着信（１７）がある場合は、移動局では、パケット呼の有無を指すパケットページングインジケーターＰＩ情報及びパケット呼に対応するパケットページング情報を受信し、パケット通信処理手順を経て、パケット通信中であるアクティブモード（１５）に遷移し、パケットデータの送受信を行う。移動局または基地局に設けられたタイマ（例えば、Ｔｉｎａｃｔの時間間隔）を超えて、パケットデータの送受信がない場合、アイドルモード（またはインアクティブモードと称する）（１３）に戻る。アクティブモード（１５）でもセル選択／再選択が行われる。
そしてユーザからパケット発信（１４）がある場合、下りアクセス情報（下りアクセスチャネルＦＡＣＨ相当）の受信、及び上りアクセス情報（ランダムアクセスチャネルＲＡＣＨ相当）の送信、パケット通信処理手順を経て、パケット通信中（１５）に遷移する。
【０１０７】
次に、図４により３ＧＰＰの提案をベースに想定されている移動局のパケット呼の発着信フローチャートを説明する。
アイドルモード（ステップＳ１）では、移動局の受信部が間欠受信状態となる。そして移動局ではパケット発信（ユーザによるパケット発信の操作）の有無を判別し（ステップＳ２）、さらにパケット着信（着信群＃ｎのパケット着信）をチェックする（ステップＳ４）。
【０１０８】
上記アイドルモードにおける間欠受信時の受信部オンの期間中に、パケット呼の有無を指すパケットページングインジケーターＰＩ情報の受信により自局が属するパケット着信群＃ｎのパケット着信を示すパケットページングインジケーターＰＩが検出されない場合、移動局は、再び受信部をオフにし、スリープ状態に入って一定の期間内に移動局の消費電力を低く抑える。
【０１０９】
また上記アイドルモードにおける間欠受信時の受信部オンの期間中に基地局からパケット着信がある場合、パケットページングインジケーターＰＩ情報における自局が属するパケット着信群＃ｎ番のパケットページングインジケーターＰＩ情報、及びパケット呼に対応するパケットページング情報に含むページング信号が基地局から移動局に送信される（ステップＳ３）。移動局は受信部オンの期間中に、自局が属するパケット着信群＃ｎ番のパケットページングインジケーターＰＩ情報の受信によりパケット着信ありが検出される（ステップＳ４のＹＥＳ）。ここで移動局ではセル・公衆移動通信網ＰＬＭＮが更新された場合、再位置登録を行う。
【０１１０】
そして移動局において、パケットページング情報の受信によりページング信号が検出された場合（ステップＳ５のＹＥＳ）、パケット通信処理手順（ステップＳ６）を経て、パケット通信を行うアクティブモードに遷移する（ステップＳ７）。
【０１１１】
また上記ステップＳ２で、移動局に対してユーザによるパケット発信操作がある場合（ステップＳ２のＹＥＳ）は、パケット発信があるものと判断され、移動局では、パケット通信処理手順（ステップＳ６）を経て、パケット通信を行うアクティブモード（ステップＳ７）に遷移する。
【０１１２】
また、パケット呼のセットアップなどパケット通信処理手順（ステップＳ６）には、Ｗ−ＣＤＭＡ方式の下りアクセスチャネルＦＡＣＨに相当する下りリンク共通制御チャネルＤＣＣＣＨに含まれる下りアクセス情報と、Ｗ−ＣＤＭＡ方式のランダムアクセスチャネルＲＡＣＨに相当する上りリンクコンテンションベースチャネルＵＣＢＣＨに含まれる上りアクセス情報が使用することができる。
【０１１３】
上記アイドルモード（ステップＳ１）における受信部のオンオフ期間の受信部信号処理手順（その動作期間を）を「待受け手順（期間）」と称する。待受け手順（期間）では、具体的にセルサーチ、パケット発信判断（ステップＳ２）、自局が属する着信群＃ｎのパケットページングインジケーターＰＩ情報のチェック（ステップＳ４）によりパケット着信判断の手順が含まれている。
【０１１４】
パケットページング情報の受信（ステップＳ５）からアクティブモードによるパケット通信開始（ステップＳ７）、またはパケット発信判断あり（ステップＳ２）からアクティブモードによるパケット通信開始（ステップＳ７）の受信部のオン期間における受信部信号処理手順（その動作期間を）を「接続手順（期間）」と称する。接続手順（期間）では、具体的に中心周波数シフト、パケットページング情報に含まれるページング信号（例えば移動局ＩＤ、コアネットワークＩＤ、ページングケースなど）のチェック（ステップＳ５）、及びパケット通信処理手順（ステップＳ６）が含まれている。
【０１１５】
移動局は、アイドルモード（ステップＳ１）の間欠受信で、自局が属するパケット着信群＃ｎ番のパケットページングインジケーターＰＩ情報をチェックし（ステップＳ４）、自局が属するパケット着信群＃ｎ番の移動局群にパケット着信があると判断された場合、パケットページング情報におけるページング信号のチェックを行う（ステップＳ５）。ここで自局のページング信号が検出されなかった場合、他の移動局へのパケット着信と判断し、アイドルモード（ステップＳ１）に戻る。すなわち、待受け手順（期間）から接続手順（期間）に移行し、自局の着信でない場合再び待受け手順（期間）に戻る。
【０１１６】
図５は、ＥＵＴＲＡについて３ＧＰＰの提案をベースに想定されている下りリンク無線フレームの構成例を示す図である。下りリンク無線フレームは、周波数軸の複数サブキャリアのかたまりであるＣｈｕｎｋと時間軸の送信タイム間隔ＴＴＩによる２次元で構成されている。Ｃｈｕｎｋは幾つかサブキャリア（Ｓｕｂ−ｃａｒｒｉｅｒ）のかたまりにより構成される。例えば、周波数軸では、下りリンクの全体のスペクトル（下りリンク周波数帯域幅）Ｂ５を２０ＭＨｚ、Ｃｈｕｎｋの周波数帯域幅Ｂｃｈを１．２５ＭＨｚ、サブキャリア周波数帯域幅Ｂｓｃを１２．５ｋＨｚとする場合、下りリンクでは、１６個Ｃｈｕｎｋ、１つのＣｈｕｎｋに１００本サブキャリア、全体で１６００本サブキャリアが含まれる。また、時間軸では、１つの無線フレームを１０ｍｓ、ＴＴＩを０．５ｍｓとする場合、２０個のＴＴＩが含まれる。
【０１１７】
つまり上記の例では、１つ無線フレームに１６個Ｃｈｕｎｋと、２０個のＴＴＩとが含まれ、１つのＴＴＩには複数のＯＦＤＭシンボル長（Ｔｓ）が含まれている。従ってこの例では、移動局が使用可能の最小の無線リソース単位は、１つのＣｈｕｎｋ（１００本サブキャリア）と１つのＴＴＩ（０．５ｍｓ）により構成されている。また、１つのＣｈｕｎｋの無線リソースをさらに細かく分割してもよい。ＴＴＩは０．６７ｍｓ、０．６２５ｍｓなどを使用してもよい。
【０１１８】
図５に示したように、下りリンク共通パイロットチャネルＤＣＰＣＨは、各ＴＴＩの先頭にマッピングされ、下りリンク個別パイロットチャネルＤＤＰＣＨは、基地局のアンテナ使用状況、または移動局の伝搬路状況に応じて、１つのＴＴＩの適当な位置にマッピングされる（例えば、ＴＴＩの中心部にマッピングされる）。
【０１１９】
また下りリンク共通制御チャネルＤＣＣＣＨと下りリンク同期チャネルＤＳＣＨは、無線フレームの先頭のＴＴＩにマッピングされている。これらを無線フレーム先頭のＴＴＩにマッピングすることにより、移動局がアイドルモードの場合、無線フレーム先頭ＴＴＩだけ、あるいは無線フレーム先頭ＴＴＩ内の数ＯＦＤＭシンボル長（Ｔｓ）を移動局で受信すれば、セルサーチ、タイミング同期を行い、報知情報、パケットページングインジケーターＰＩ情報及びパケットページング情報など下りリンク制御情報を受信することが可能である。
【０１２０】
移動局は、アイドルモードの場合、間欠受信で動作している。
図６は、移動局がアイドルモードのときの間欠受信動作を概念的に示す図である。ここでは、上記図５の３ＧＰＰの提案をベースに想定されている下りリンク無線フレームの構成と同じ図を図６（Ａ）に示し、図６（Ａ）に合わせた間欠受信動作のイメージを図６（Ｂ）に示している。
【０１２１】
図６に示すように、移動局がアイドルモードのときの間欠動作としては、例えば、間欠動作１と間欠動作２が挙げられる。
間欠動作１は、フレーム先頭のＴＴＩ１期間を受信部オンし、他の期間を受信オフする間欠受信方法である。また間欠動作２は、フレーム先頭のＴＴＩ１の下りリンク共通パイロットチャネルＤＣＰＣＨ、下りリンク共通制御チャネルＤＣＣＣＨ、下りリンク共用シグナリングチャネルＤＳＣＳＣＨ、下りリンク同期チャネルＤＳＣＨの期間（数ＯＦＤＭシンボルＴｓ）を受信部オンし、他の期間を受信オフする間欠受信方法である。
【０１２２】
下りリンク共用制御シグナリングチャネルＤＳＣＳＣＨは、下りリンク共通パイロットＣＰＩＣＨと同様に各ＴＴＩの先頭部にマッピングしている。移動局がパケット通信中でも各ＴＴＩに自局宛てのパケットデータがない場合、下りリンク共用制御シグナリングチャネルＤＳＣＳＣＨだけを受信する間欠受信が可能である。
【０１２３】
また、図５では、下りリンクパイロットチャネルＤＰＣＨ（下りリンク共通パイロットチャネルＤＣＰＣＨと下りリンク個別パイロットチャネルＤＤＰＣＨ）、下りリンク共通制御チャネルＤＣＣＣＨ、下りリンク共用制御シグナリングチャネルＤＳＣＳＣＨ及び下りリンク同期チャネルＤＳＣＨが周波数軸上サブキャリア間連続的にマッピングされていることを示しているが、サブキャリア間で間引きにより断続的にマッピングしてもよい。
【０１２４】
図７は、ＥＵＴＲＡについて３ＧＰＰの提案をベースに想定されている下りリンク無線フレームの他の構成例を示す図である。例えば、図７に示したように、図５の構成に代えて下りリンク共通パイロットチャネルＤＣＰＣＨ、下りリンク共通制御チャネルＤＣＣＣＨ及び下りリンク共用制御シグナリングチャネルＤＳＣＳＣＨをサブキャリア交互に配置してもよい。
【０１２５】
また上記の各下りリンクチャネルは、下りリンク周波数帯域全体に渡ってＴＤＭの例を示しているが、ＣＤＭ（Ｃｏｄｅ  Ｄｉｖｉｏｎ  Ｍｕｌｔｉｐｌｅｘｉｎｇ）、ＦＤＭ、ＴＤＭ・ＦＤＭの組合せでもよい。
また、前記各下りリンクチャネルは、１つＯＦＤＭシンボル長（Ｔｓ）を示しているが、情報量により複数ＯＦＤＭシンボル長（Ｔｓ）を使用してもよい。
【０１２６】
また下りリンク共用データチャネルＤＳＤＣＨは、ＡＭＣＳ方式をベースに、各移動局宛てのパケットデータを送信する。一例として、図１に示したように、各移動局の伝搬路状況に応じて、移動局ＭＳ１、ＭＳ２、ＭＳ３に割当てられている。
【０１２７】
図８及び図９は、本発明と関連する基地局及び移動局の構成例をそれぞれ示す図である。
図８において、基地局１００は、アンテナ部１０１、無線部１０２、復調部１０３、上りリンクチャネル推定部１０４、制御データ抽出部１０５、チャネルデコーディング部１０６、チャネルコーディング部１０７、制御データ挿入部１０８、ＯＦＤＭ変調部１０９、及びスケジューリング部１１０により構成されている。
【０１２８】
また図９において、移動局２００は、アンテナ部２０１、無線部２０２、ＯＦＤＭ復調部２０３、下りリンクチャネル推定部２０４、制御データ抽出部２０５、チャネルデコーディング部２０６、チャネルコーディング部２０７、制御データ挿入部２０８、変調部２０９、及び制御部２１０により構成されている。
【０１２９】
図８及び図９により、３ＧＰＰの提案をベースに想定されている基地局１００及び移動局２００の動作原理を簡単に説明する。
基地局１００では、まず、基地局１００がＲＮＣ（Ｒａｄｉｏ  Ｎｅｔｗｏｒｋ  Ｃｏｎｔｒｏｌ、図示せず）から移動局２００宛てのパケットデータを受信した場合、そのパケットデータを基地局送信データバッファ（図示せず）に保存する。送信データバッファからの下りリンク送信データはチャネルコーディング部１０７に入力され、チャネルコーディング部１０７はスケジューリング部１１０の出力信号である下りリンクＡＭＣモードと下りリンク移動局割り当て情報（下りリンクスケジューリング情報）など下りリンクＡＭＣ情報が入力され、下りリンクＡＭＣ情報により定義されたＡＭＣモード（例えば、ターボ符号、符号化率２／３）を用いて、下りリンク送信データの符号化処理を行い、その出力が制御データ挿入部１０８に入力される。
【０１３０】
下りリンク制御データは、前記の下りリンクパイロットチャネルＤＰＣＨ、下りリンク共通制御チャネルＤＣＣＣＨ及び下りリンク同期チャネルＤＳＣＨの制御データが含まれている。下りリンク制御データが制御データ挿入部１０８に入力され、図１に示した下りリンク共通制御チャネルＤＣＣＣＨ（下りアクセスチャネルＦＡＣＨ、ページングチャネルＰＣＨ、ページングインジケーターチャネルＰＩＣＨ及び報知チャネルＢＣＨ）の制御データマッピングが行われる。
一方、スケジューリング部１１０により決定した下りリンクＡＭＣ情報（ＡＭＣモード、下りリンクスケジューリング情報など）が制御データ挿入部１０８に入力され、下りリンク共用制御シグナリングチャネルＤＳＣＳＣＨの制御データマッピングが行われる。
【０１３１】
下りリンク共通制御チャネルＤＣＣＣＨ、下りリンク共用制御シグナリングチャネルＤＳＣＳＣＨ及び下りリンク共用データチャネルＤＳＤＣＨがマッピングされた制御データ挿入部１０８の出力は、ＯＦＤＭ変調部１０９に送られる。ＯＦＤＭ変調部１０９では、データ変調、入力信号の直列／並列変換、拡散符号及びスクランブリングコードを乗算し、ＩＦＦＴ（Ｉｎｖｅｒｓｅ  Ｄｉｓｃｒｅｔｅ  Ｆｏｕｒｉｅｒ  Ｔｒａｎｓｆｏｒｍ）変換、ＣＰ（Ｃｙｃｌｉｃ  Ｐｒｅｆｉｘ）挿入、フィルタリングなどＯＦＤＭ信号処理を行い、ＯＦＤＭ信号を生成する。またＯＦＤＭ変調部１０９は、スケジューリング部１１０からの下りリンクＡＭＣ情報が入力され、各サブキャリアのデータ変調（例えば、１６ＱＡＭ）を制御する。そして図５に示した無線フレームを生成し、無線部の送信回路によりＲＦ（Ｒａｄｉｏ  Ｆｒｅｑｕｅｎｃｙ）周波数帯域に変換され、アンテナ部１０１から下りリンク信号が送信される。
【０１３２】
一方、移動局２００から送れてきた上りリンク信号がアンテナ部１０１により受信され、無線部の受信回路によりＲＦ周波数からＩＦ（Ｉｎｔｅｒｍｉｄｉａｔｅ  Ｆｒｅｑｕｅｎｃｙ）、または直接ベースバンド帯域に変換され、復調部１０３に入力する。上りリンク信号は、ＯＦＤＭ信号、ＭＣ−ＣＤＭＡ（Ｍｕｌｉｔ−Ｃａｒｒｅｒ−ＣＤＭＡ）信号、またはＰＡＰＲを低減するためのシングルキャリアＳＣ信号、ＶＳＣＲＦ−ＣＤＭＡ（Ｖａｒｉａｂｌｅ  Ｓｐｒｅａｄｉｎｇ  ａｎｄ  Ｃｈｉｐ  Ｒｅｐｅｔｉｔｉｏｎ  Ｆａｃｔｏｒｓ−ＣＤＭＡ）信号を使用してもよい（例えば特許文献２（特開２００４−１９７７５６号公報「移動局、基地局、無線伝送プログラム、及び無線伝送方法」参照）。
【０１３３】
上りリンクチャネル推定部１０４では、上りリンクパイロットチャネルＵＰＣＨを利用して、各移動局の個別の上りリンクチャネルの伝搬路品質を推定し、上りリンク伝搬路品質情報ＣＱＩを算出する。算出された上りリンクＣＱＩ情報は、スケジューリング部１１０に入力される。そして上りリンクＡＭＣモードと上りリンクスケジューリング情報など上りリンクＡＭＣ情報が制御データ挿入部１０８に入力され、下りリンク共用制御シグナリングチャネルＤＳＣＳＣＨにマッピングされて、該当移動局２００に送信される。
【０１３４】
該当移動局２００は、スケジューリング部１１０の出力である上りリンクＡＭＣ情報に従って、決められた上りリンクＡＭＣモードと上りリンクスケジューリング情報によりパケットデータを送信する。そしてそのパケットデータの上りリンク信号が復調部１０３及びチャネルデコーディング部１０６に入力される。一方、スケジューリング部１１０の出力である上りリンクＡＭＣ情報は復調部とチャネルデコーディング部１０６に入力され、この情報に従って上りリンク信号の復調（例えば、ＱＰＳＫ）、復号処理（例えば、畳込み符号、符号化率２／３）が行われる。
【０１３５】
制御データ抽出部１０５は、上りリンクコンテンションベースチャネルＵＣＢＣＨ及び上りリンク共用制御シグナリングチャネルＵＳＣＳＣＨの制御情報を抽出する。また制御データ抽出部１０５は、上りリンク共用制御シグナリングチャネルＵＳＣＳＣＨを通じで送られてきた移動局２００の下りチャネル伝搬路品質情報ＣＱＩを抽出し、スケジューリング部１１０に入力し、下りリンクＡＭＣ情報を生成する。
【０１３６】
スケジューリング部１１０には、上りリンクチャネル推定部１０４から上りリンクＣＱＩ情報が入力され、移動局２００からフィードバックされた下りリンクＣＱＩ情報が制御データ抽出部１０５から入力され、さらに基地局制御部（図示せず）から各移動局の下り／上りリンク送信データバッファ情報、上り／下りリンクＱｏＳ（Ｑｕｌｉｔｙ  ｏｆ  Ｓｅｒｖｉｃｅ）情報、各種サービスクラス情報、移動局クラス情報などが入力される。そしてスケジューリング部１１０は、入力したこれらの情報を総合し、選択されたスケジューリングアルゴリズムに従って上り／下りリンクＡＭＣ情報を生成し、図８に示した各部に出力する。
【０１３７】
次に移動局２００では、まずアンテナ部２０１により下りリンクＯＦＤＭ信号を受信し、無線部２０２の受信回路によりＲＦ周波数からＩＦ、または直接ベースバンド帯域に変換し、ＯＦＤＭ復調部２０３に入力する。下りリンクチャネル推定部２０４では、下りリンクパイロットチャネルＤＰＣＨを利用して（下りリンク共通パイロットチャネルＤＣＰＣＨ、下りリンク個別パイロットチャネルＤＤＰＣＨ、または両者の組合せを利用して）、各移動局の個別の下りリンクチャネルの伝搬路品質を推定し、下りリンク伝搬路品質情報ＣＱＩを算出する。算出された下リンクＣＱＩ情報は制御データ挿入部２０８に入力され、上りリンク共用制御シグナリングチャネルＵＳＣＳＣＨにマッピングされて、基地局１００に送信される。
【０１３８】
ＯＦＤＭ復調部２０３では、入力信号のＣＰ（Ｃｙｃｌｉｃ  Ｐｒｅｆｉｘ）除去、ＦＦＴ（Ｄｉｓｃｒｅｔｅ  Ｆｏｕｒｉｅｒ  Ｔｒａｎｓｆｏｒｍ）変換、拡散符号及びスクランブリングコードを乗算し、並列／直列変換、データ復調、フィルタリングなどＯＦＤＭ信号復調処理を行い、復調データを生成し、制御データ抽出部２０５に入力する。
【０１３９】
制御データ抽出部２０５では、下りリンク共用データチャネルＤＳＤＣＨ以外の下りリンクチャネル情報を抽出する。下りリンク共用制御シグナリングチャネルＤＳＣＳＣＨにマッピングされている下りリンクＡＭＣモードと下りリンクスケジューリング情報など下りリンクＡＭＣ情報を抽出し、ＯＦＤＭ復調部２０３及びチャネルデコーディング部２０６に出力する。また、下りリンク共用制御シグナリングチャネルＤＳＣＳＣＨにマッピングされている上りリンクＡＭＣモードと上りリンクスケジューリング情報など上りリンクＡＭＣ情報を抽出し、変調部２０９及びチャネルコーディング部２０７に出力する。
【０１４０】
ＯＦＤＭ復調部２０３では、下りリンクＡＭＣ情報により定義されたＡＭＣモード（例えば、１６ＱＡＭ）を用いて、サブキャリアの復調を行う。チャネルデコーディング部では、下りリンクＡＭＣ情報により定義されたＡＭＣモード（例えば、ターボ符号、符号化率２／３）を用いて、下りリンク共用データチャネルＤＳＤＣＨにマッピングされている自局宛てのパケットデータの復号を行う。
【０１４１】
チャネルコーディング部２０７は、移動局２００の個別のパケットデータである上りリンク送信データが入力され、制御データ抽出部２０５から出力されている下りリンクＡＭＣ情報（例えば、畳込み符号、符号化率２／３）を用いて符号化を行い、制御データ挿入部２０８に出力する。
【０１４２】
制御データ挿入部２０８は、下りリンクチャネル推定部２０４からの下りリンクＣＱＩ情報を上りスケジューリングチャネルＵＳＣＨに含まれる上りリンク共用制御シグナリングチャネルＵＳＣＳＣＨにマッピングさせ、上りリンクコンテンションベースチャネルＵＣＢＣＨと上りスケジューリングチャネルＵＳＣＨを上りリンク送信信号にマッピングする。
【０１４３】
変調部２０９は、制御データ抽出部２０５から出力されている下りリンクＡＭＣ情報（例えば、ＱＰＳＫ）を用いてデータ変調を行い、無線部２０２の送信回路に出力する。上りリンク信号の変調は、ＯＦＤＭ信号、ＭＣ−ＣＤＭＡ信号、またはＰＡＰＲを低減するためにシングルキャリアＳＣ信号、ＶＳＣＲＦ−ＣＤＭＡ信号を使用してもよい。
【０１４４】
無線部２０２の送信回路によりＲＦ周波数帯域に変換し、アンテナ部２０１から上りリンク信号が送信される。無線部２０２には、前記の異なる周波数帯域幅（例えば、１．２５ＭＨｚ，２．５ＭＨｚ，５ＭＨｚ，１０ＭＨｚ，２０ＭＨｚ）に対応したＩＦ、ＲＦフィルタが含まれている。
制御部２１０は、移動局２００の全体制御を行い、下りリンク制御情報のマッピングにより、無線部２０２及びベースバンド信号処理部２１１を制御し、例えばアイドルモードの場合、移動局２００の間欠受信制御を行う。
【０１４５】
（第１の実施形態）
図１０は、本発明の第１の実施形態を説明するための図である。第１の実施形態では、ＥＵＴＲＡに対する３ＧＰＰの提案をベースに想定されている下りリンク共通制御チャネルのマッピング方法の１つ、報知情報（Ｗ−ＣＤＭＡ方式の報知チャネルＢＣＨに相当）とパケット呼の有無を指すパケットページングインジケーターＰＩ情報（Ｗ−ＣＤＭＡ方式のページングインジケーターチャネルＰＩＣＨに相当）のマッピング方法、及びその報知情報とパケットページングインジケーターＰＩ情報のマッピング方法に対応する移動局の共通制御情報受信方法を提案する。
【０１４６】
上記のように、ＥＵＴＲＡ／ＥＵＴＲＡＮの技術要求条件として、既存の２Ｇ、３Ｇサービスとの融合、共存のため、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
またＥＵＴＲＡ／ＥＵＴＲＡＮのサービスでは、移動通信事業者に割当てられた周波数帯域幅に様々な周波数帯域幅を持つ移動局が収容され、異なる周波数帯域幅を有する移動局に対するサービスが要求されている。例えば、２０ＭＨｚの周波数帯域幅では、１．２５ＭＨｚ，２．５ＭＨｚ，５ＭＨｚ，１０ＭＨｚ，２０ＭＨｚの異なる動作周波数帯域幅を持つ移動局を収容し、異なる周波数帯域幅での待受け、パケット発着信手順処理、パケットデータ通信などが正常に動作する必要がある。また、広い周波数帯域幅（例えば２０ＭＨｚ）を有する移動局は、狭い周波数帯域幅（例えば１．２５ＭＨｚ）と同様または類似な待受け時間が要求される。
【０１４７】
図１０では、図５に示した下りリンク共通制御チャネルＤＣＣＣＨの部分を拡大し、下りリンク共通制御チャネルに含まれる共通制御情報のマッピング方法を示している。図１０において、Ｂ１，Ｂ２，Ｂ３，Ｂ４，Ｂ５はそれぞれ１．２５ＭＨｚ，２．５ＭＨｚ，５ＭＨｚ，１０ＭＨｚ，２０ＭＨｚの周波数帯域幅を示す。ここではそれぞれ異なる周波数帯域幅に対応した移動局の集合をＢｎ（ｎ＝１、２、…）移動局クラスとして定義する。
【０１４８】
図５または図７に示したように、下りリンク共通制御チャネルＤＣＣＣＨの時間幅をＴｄｃｃｃｈとし、Ｔｄｃｃｃｈの無線リソースを１つ（ＦＤＭ方式採用の場合）または１つ以上（ＴＤＭ／ＦＤＭ採用の場合）のＯＦＤＭシンボルにより構成している。
図５及び図１０ではＴＤＭ採用の場合を示している。ここでは共通制御情報のマッピング方法として、最小周波数帯域幅Ｂ１とＴｄｃｃｃｈ時間を占める無線リソースにおいて、最大周波数帯域幅を含むＢｎ（ｎ＝１，２，３，４，５）移動局クラスの全ての移動局に対応した報知情報及びパケットページングインジケーターＰＩ情報がマッピングされている。
【０１４９】
具体的には図１０に示すように、報知情報をエリア１にマッピングし、パケットページングインジケーターＰＩ情報をエリア２にマッピングする。このように最大周波数帯域幅Ｂ５を含む各移動局クラスの全ての移動局の報知情報及びパケットページングインジケーターＰＩ情報を、最小周波数帯域幅Ｂ１にマッピングすることにより、最大周波数帯域幅を含むＢｎ（ｎ＝１，２，３，４，５）移動局クラスの全ての移動局は、最小周波数帯域幅Ｂ１を通じて、報知情報及びパケットページングインジケーターＰＩ情報を受信することができる。
【０１５０】
すなわち、図４の移動局のパケット発着信フローチャートに示したように、最大周波数帯域幅を含むＢｎ（ｎ＝１，２，３，４，５）移動局クラスの全ての移動局は、最小周波数帯域幅（例えばＢ１）を通じて、待受け手順（期間）を正常に動作させることができる。
【０１５１】
ここでは共通制御情報のマッピング方法として、Ｂ１の周波数帯域幅とＴｄｃｃｃｈ時間を占める無線リソースに、最大周波数帯域幅を含むＢｎ（ｎ＝１，２，３，４，５）移動局クラスの全ての移動局に対応した報知情報、パケットページングインジケーターＰＩ情報の共通制御情報がマッピングされているため、最大周波数帯域幅を含むＢｎ（ｎ＝１，２，３，４，５）移動局クラスの全ての移動局は、受信周波数帯域幅、ＩＦＦＴポイント数、動作クロックなどを最小周波数帯域幅Ｂ１に合わせて制御を行い、待受け手順（期間）に必要な共通制御情報、すなわち報知情報及びパケットページングインジケーターＰＩ情報を受信することができる。
【０１５２】
図１１は、共通制御情報のマッピング方法に対応した最大周波数帯域幅Ｂ５の移動局の共通制御情報受信方法を説明する一例である。図１１において、移動局消費電力が高い時間間隔のＴ１，Ｔ３，Ｔ７は待ち受け手順（期間）の間欠受信時の受信部オンの期間中、Ｔ５は接続手順（期間）時の受信部オンの期間中を示し、時間間隔のＴ２，Ｔ４，Ｔ６は間欠受信時の受信部オフの期間中を示す。
【０１５３】
最大周波数帯域幅Ｂ５の移動局クラスの移動局は、受信周波数帯域幅、ＩＦＦＴポイント数、動作クロックなどを最小周波数帯域幅Ｂ１に合わせて制御を行い、待受け手順（期間）に必要な共通制御情報、すなわち、報知情報及びパケットページングインジケーターＰＩ情報を受信することができる。そして、パケットページング情報の受信、もしくパケット発信判断によりアクティブモードに遷移するための接続手順（期間）では、最大周波数帯域幅Ｂ５に広げて制御を行う。
こうして全ての移動局は最小周波数帯域幅Ｂ１で間欠受信を行い、アイドルモードにおける待受け手順（期間）の消費電力を最小限に抑えることができる。
【０１５４】
図１１の移動局の共通制御情報受信例において、Ｔ５の接続手順（期間）では、アクティブモードとなるが、Ｔｉｎａｃｔ時間間隔以上パケットデータがない場合、再びアイドルモードの待ち受け手順（期間）に戻るとき、再度最大周波数帯域幅Ｂ５の移動局クラスの移動局は、受信周波数帯域幅、ＩＦＦＴポイント数、動作クロックなどを最小周波数帯域幅Ｂ１に合わせて制御を行うようにする。
【０１５５】
図１２は、共通制御情報のマッピング方法に対応した最大周波数帯域幅Ｂ４の移動局の共通制御情報受信方法を説明する一例である。最大周波数帯域幅Ｂ５より小さい周波数帯域幅Ｂ４を持つため、Ｔ５の接続手順（期間）では、基地局の指示及び／または移動局の計算により中心周波数をシフトした様子を示している。
【０１５６】
上記の動作を実現するために、図８に示した基地局１００の制御データ挿入部１０８では、図１０に示すように下りリンク共通制御情報を共通制御チャネルＤＣＣＣＨにマッピングする共通制御情報マッピング手段を備えている。また、図９に示す移動局２００の制御データ抽出部２０５では、図１０に示すように下りリンク共通制御情報を共通制御チャネルＤＣＣＣＨから共通制御情報を抽出する共通制御情報受信手段を備えている。
【０１５７】
なお図１１、図１２では、Ｔ２、Ｔ４を１つの無線フレーム単位と対応しているが、１つ以上の無線フレーム単位と対応してもよい。またＴ１、Ｔ３、Ｔ７は異なる長さ、あるいはＴＴＩ単位、ＯＦＤＭシンボル単位、あるいはそれらの複数に対応してもよい。
【０１５８】
上記のように、最大周波数帯域幅を含むＢｎ（ｎ＝１，２，３，４，５）移動局クラスの全ての移動局に対応した報知情報、パケットページングインジケーターＰＩ情報の共通制御情報を最小周波数帯域幅Ｂ１にマッピングすることが第１の実施形態の特徴である。
この第１の実施形態により、最大周波数帯域幅を含むＢｎ（ｎ＝１，２，３，４，５）移動局クラスの全ての移動局は、最小周波数帯域幅Ｂ１で動作し、待受け手順（期間）で、最小の待ち受け消費電力を実現し、移動局の小型化、長待ち受け時間の要求を実現できる。
【０１５９】
（第２の実施形態）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本実施形態において、ＥＵＴＲＡの上り・下りリンクのチャネル構成、移動局のパケット呼の発着信フローチャート、下りリンク無線フレームの構成、基地局及び移動局の構成については、上記第１の実施形態と同様のためその繰り返しの説明は省略する。
【０１６０】
図１３は、本発明の第２の実施形態を説明するための図である。第２の実施形態では、上記第１の実施形態と同様に、ＥＵＴＲＡに対する３ＧＰＰの提案をベースに想定されている下りリンク共通制御チャネルのマッピング方法の１つ、報知情報（Ｗ−ＣＤＭＡ方式の報知チャネルＢＣＨに相当）とパケット呼の有無を指すパケットページングインジケーターＰＩ情報（Ｗ−ＣＤＭＡ方式のページングインジケーターチャネルＰＩＣＨに相当）のマッピング方法、及びその報知情報とパケットページングインジケーターＰＩ情報のマッピング方法に対応する移動局の共通制御情報受信方法を提案する。
【０１６１】
下りリンク共通制御情報である報知情報及びパケットページングインジケーターＰＩ情報は、待受け手順（期間）であるアイドルモードに使われ、無線リソースに収容する移動局の数に依存することなく、情報量はほぼ変化しない。また下りアクセス情報及びパケットページング情報と比べて情報量が少ないという特徴がある。
上記第１の実施形態では、最大周波数帯域幅を含むＢｎ（ｎ＝１，２，３，４，５）移動局クラスの全ての移動局の報知情報及びパケットページングインジケーターＰＩ情報を、最小周波数帯域幅Ｂ１にマッピングする方法を提案したが、システムの最小周波数帯域幅Ｂ１を使用するため、周波数選択性フェージングの影響を受けやすい。また最小周波数帯域幅Ｂ１（例えば、１．２５ＭＨｚ）内の受信レベル変動が激しいとき、受信品質劣化により報知情報及びパケットページングインジケーターＰＩ情報が受信できない場合がある。
【０１６２】
本実施形態では、図１３（Ａ）に示すように、図５に示した下りリンク共通制御チャネルＤＣＣＣＨの部分を拡大し、下りリンク共通制御チャネルに含まれる共通制御情報をマッピングする。共通制御情報のマッピング方法として、最大周波数帯域幅Ｂ５とＴｄｃｃｃｈ時間の無線リソースに、最大周波数帯域幅を含むＢｎ（ｎ＝１，２，３，４，５）移動局クラスの全ての移動局に対応した報知情報及びページングインジケーターＰＩ情報を、Ｂｎの周波数帯域幅にコピーし、分散してマッピングする。
【０１６３】
具体的には、図１３（Ａ）に示したように、上記第１の実施形態に示した報知情報がマッピングされたエリア１と、パケットページングインジケーターＰＩ情報がマッピングされたエリア２とをエリア２１とするとき、このエリア２１を二分割し、二分割された報知情報及びパケットページングインジケーターＰＩ情報をＢ４−Ｂ３の周波数帯域幅内のエリア２２及びエリア２３にコピーする（図１３（Ｂ）を参照）。
そして上記のような報知情報及びパケットページングインジケーターＰＩ情報を、上記のＢ４−Ｂ３の周波数帯域幅内の各エリアだけでなく、Ｂｎの全ての周波数帯域内（すなわちＢｎ−Ｂｍ（ｎ，ｍ＞１；ｎ−ｍ＝１）にコピーする。
【０１６４】
図１３（Ｂ）は、周波数帯域幅Ｂｎ（ｎ＝１，２，３，４，５）に報知情報及パケットページングインジケーターＰＩ情報をコピーする様子を示している。
ここでは、最大周波数帯域幅を含むＢｎ（ｎ＝１，２，３，４，５）移動局クラスの全ての移動局の報知情報及びパケットページングインジケーターＰＩ情報を、各Ｂｎ移動局クラスの周波数帯域Ｂｎ−Ｂｍ（ｎ，ｍ＞１；ｎ−ｍ＝１）にマッピングすることにより、各Ｂｎ移動局クラスの移動局は、最小周波数帯域幅Ｂ１を通じて、報知情報及びパケットページングインジケーターＰＩ情報を受信することができる。
【０１６５】
本実施形態では、受信品質劣化に伴って、Ｂｎ移動局クラスの周波数帯域幅Ｂｎで、またはＢ１、Ｂ２、…、Ｂｎの周波数帯域幅を順次広げて、コピーされた報知情報及びパケットページングインジケーターＰＩ情報を受信することができる。ここでは異なる周波数帯域幅にある複数コピー情報を受信することにより周波数ダイバシチー効果が得られ、受信品質の改善が可能となる。すなわち、図４の移動局のパケット発着信フローチャートに示したように、Ｂｎ移動局クラスの全ての移動局は、各周波数帯域幅を通じて受信品質を改善し、待受け手順（期間）を正常に動作させることができる。
【０１６６】
上記のように、最大周波数帯域幅を含むＢｎ（ｎ＝１，２，３，４，５）移動局クラスの全ての移動局に対応した報知情報及びパケットページングインジケーターＰＩ情報の共通制御情報を、Ｂｎの周波数帯域幅（Ｂｎを含むＢｎ以下の各周波数帯域幅に）にマッピング（コピー）することが第２の実施形態の特徴である。
【０１６７】
ここでは共通制御情報のマッピング方法として、最大の周波数帯域幅とＴｄｃｃｃｈ時間を占める無線リソースに、最大周波数帯域幅を含むＢｎ（ｎ＝１，２，３，４，５）移動局クラスの全ての移動局に対応した報知情報及びパケットページングインジケーターＰＩ情報の共通制御情報が、Ｂｎの周波数帯域幅にマッピング（コピー）されていることにより、受信品質劣化の場合、Ｂｎ移動局クラスの全ての移動局は、Ｂｎ移動局クラスの周波数帯域幅Ｂｎで、またはＢ１、Ｂ２、…、Ｂｎの周波数帯域幅を順次広げて、コピーされた報知情報及びパケットページングインジケーターＰＩ情報を受信し、周波数ダイバシチー効果により受信品質改善を行う。
【０１６８】
図１４は、共通制御情報のマッピング方法に対応した移動局の共通制御情報受信方法の他の例を説明する図である。図１４において、移動局消費電力Ｔ１，Ｔ３は待ち受け手順（期間）の間欠受信時の受信部オンの期間中、Ｔ５は接続手順（期間）時の受信部オンの期間中を示し、Ｔ２，Ｔ４は間欠受信時の受信部オフの期間中を示す。なおここでは、Ｔ２、Ｔ４は１つの無線フレーム単位と対応しているが、１つ以上の無線フレーム単位と対応してもよい。またＴ１、Ｔ３は異なる長さ、あるいはＴＴＩ単位、ＯＦＤＭシンボル単位、あるいはそれらの複数に対応してもよい。
【０１６９】
最大周波数帯域幅Ｂｎ（ｎ＝１，２，３，４，５）の移動局クラスの移動局は、受信周波数帯域幅、ＩＦＦＴポイント数、動作クロックなどを最小周波数帯域幅Ｂ１に合わせて制御を行い、待受け手順（期間）に必要な共通制御情報、すなわち、報知情報及びパケットページングインジケーターＰＩ情報を受信することができる。このときに受信品質劣化の場合（例えばＴ１期間中）、Ｂｎ移動局クラスの移動局は、Ｂｎの周波数帯域幅で、またはＢ１、Ｂ２、…、Ｂｎの周波数帯域幅を順次広げて（図１４のＴ３はＢ４の周波数帯域幅で受信中の様子を示す）、コピーされた報知情報及びパケットページングインジケーターＰＩ情報を受信し、周波数ダイバシチー効果により受信品質改善を行う。そして、パケットページング情報の受信、もしく発信判断によりアクティブモードに遷移するための接続手順（期間）では、最大周波数帯域幅Ｂｎまで広げて制御を行う。
こうして全ての移動局は最小周波数帯域幅Ｂ１で間欠受信を行い、アイドルモードにおける待受け手順（期間）の消費電力を最小限に抑えることができる。
【０１７０】
上記第２の実施形態により、最大周波数帯域幅を含むＢｎ（ｎ＝１，２，３，４，５）移動局クラスの全ての移動局は、最小周波数帯域幅で動作し、受信品質劣化の場合、Ｂｎ移動局クラスの周波数帯域幅で、またはＢ１、Ｂ２、…、Ｂｎの周波数帯域幅を順次広げて、待受け手順（期間）で少ない待ち受け消費電力を実現し、移動局の小型化、長待ち受け時間の要求を実現できる。
【０１７１】
（第３の実施形態）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本実施形態において、ＥＵＴＲＡの上り・下りリンクのチャネル構成、移動局のパケット呼の発着信フローチャート、下りリンク無線フレームの構成、基地局及び移動局の構成については、上記第１の実施形態と同様のためその繰り返しの説明は省略する。
【０１７２】
図１５は、本発明の第３の実施形態を説明するための図である。第３の実施形態では、上記第１及び第２の実施形態と同様に、ＥＵＴＲＡに対する３ＧＰＰの提案をベースに想定されている下りリンク共通制御チャネルのマッピング方法の１つ、報知情報（Ｗ−ＣＤＭＡ方式の報知チャネルＢＣＨに相当）とパケット呼の有無を指すパケットページングインジケーターＰＩ情報（Ｗ−ＣＤＭＡ方式のページングインジケーターチャネルＰＩＣＨに相当）のマッピング方法、及びその報知情報とパケットページングインジケーターＰＩ情報のマッピング方法に対応する移動局の共通制御情報受信方法を提案する。
【０１７３】
上記のように、下りリンク共通制御情報である報知情報及びパケットページングインジケーターＰＩ情報は、待受け手順（期間）であるアイドルモードに使われ、無線リソースに収容する移動局の数に依存することなく、情報量がほぼ変化しない。また下りアクセス情報及びパケットページング情報と比べて情報量が少ないという特徴がある。
【０１７４】
上記第１の実施形態では、最大周波数帯域幅を含むＢｎ（ｎ＝１，２，３，４，５）移動局クラスの全ての移動局の報知情報及びパケットページングインジケーターＰＩ情報は、最小周波数帯域幅Ｂ１にマッピングする方法を提案したが、システムの最小周波数帯域幅を使用するため、周波数選択性フェージングの影響を受けやすい。また最小周波数帯域幅内の受信レベル変動が激しいとき、受信品質劣化により報知情報及びパケットページングインジケーターＰＩ情報を受信できない場合がある。
【０１７５】
また上記第２の実施形態のように、最大周波数帯域幅Ｂ５とＴｄｃｃｃｈ時間を占める無線リソースにおいて、最大周波数帯域幅を含むＢｎ（ｎ＝１，２，３，４，５）移動局クラスの全ての移動局に対応した報知情報及びパケットページングインジケーターＰＩ情報をＢｎの周波数帯域幅にコピーして、分散してマッピングする方法を提案したが、報知情報及びパケットページングインジケーターＰＩ情報は情報量が少ないため、無線リソースを十分利用できない場合がある。
【０１７６】
本実施形態では、図１５Ａに示すように、図５に示した下りリンク共通制御チャネルＤＣＣＣＨの部分を拡大し、下りリンク共通制御チャネルに含まれる共通制御情報をマッピングする。本実施形態の共通制御情報のマッピング方法として、最大周波数帯域幅Ｂ５とＴｄｃｃｃｈ時間を占める無線リソースにおいて、最大周波数帯域幅を含むＢｎ（ｎ＝１，２，３，４，５）移動局クラスの全ての移動局に対応した報知情報及びパケットページングインジケーターＰＩ情報をＢｎ（ｎ＝１，２，３，４，５）の周波数帯域幅Ｂｎ−Ｂｍ（ｎ，ｍ＞１；ｎ−ｍ＝１）にコピーし、異なる誤り訂正方式（ｓｙｓｔｅｍ）を採用して分散してマッピングする。
【０１７７】
具体的には、図１５Ａに示したように、上記第１の実施形態に示した報知情報がマッピングされたエリア１と、パケットページングインジケーターＰＩ情報がマッピングされたエリア２とをエリア２１とするとき、このエリア２１を二分割し、二分割された報知情報及びパケットページングインジケーターＰＩ情報をＢ４−Ｂ３の周波数帯域幅内のエリア２４及びエリア２５にコピーし、利用可能な無線リソースに合わせて、符号化率を変更する。
そして上記のような報知情報及びパケットページングインジケーターＰＩ情報を、上記のＢ４−Ｂ３の周波数帯域幅内の各エリアだけでなく、Ｂｎの全ての周波数帯域内（すなわちＢｎ−Ｂｍ（ｎ，ｍ＞１；ｎ−ｍ＝１）の全ての周波数帯域）にコピーし、利用可能なリソースに合わせて符号化率を変更する。
【０１７８】
図１５Ｂは、報知情報及びページングインジケーターＰＩ情報をＢｎ（ｎ＝１，２，３，４，５）の周波数帯域幅にコピーし、異なる誤り訂正符号化を適用して符号化率を変更する様子を示している。
【０１７９】
上記のように最大周波数帯域幅を含むＢｎ（ｎ＝１，２，３，４，５）移動局クラスの全ての移動局の報知情報及びパケットページングインジケーターＰＩ情報を、各Ｂｎ移動局クラスの周波数帯域にマッピングすることにより、各Ｂｎ移動局クラスの移動局は、最小周波数帯域幅Ｂ１を通じて、報知情報及びパケットページングインジケーターＰＩ情報を受信することができる。
【０１８０】
そして本実施形態では、受信品質劣化に伴って、Ｂｎ移動局クラスの周波数帯域幅で、またはＢ１、Ｂ２、…、Ｂｎの周波数帯域幅を順次広げてコピーし、異なる誤り訂正方式（例えば、符号化率）が採用された報知情報及びパケットページングインジケーターＰＩ情報を受信することができる。ここでは異なる周波数帯域幅にある複数コピー情報を受信することにより周波数ダイバシチー効果が得られ、受信品質の改善が可能となる。また、誤り訂正方式の変更により冗長ビットを増加させ、誤り訂正能力を向上させることができる。すなわち、図４の移動局のパケット発着信フローチャートに示したように、Ｂｎ移動局クラスの全ての移動局は、各周波数帯域幅を通じて受信品質が改善され、待受け手順を正常に動作させることができる。
【０１８１】
上記のように、最大周波数帯域幅を含むＢｎ（ｎ＝１，２，３，４，５）移動局クラスの全ての移動局に対応した報知情報及びページングインジケーターＰＩ情報の共通制御情報を、Ｂｎの周波数帯域幅（Ｂｎを含むＢｎ以下の各周波数帯域幅に）にマッピング（コピー、誤り訂正方式変更）することが第３の実施形態の特徴である。
【０１８２】
上記の共通制御情報のマッピング方法に対応した移動局の共通制御情報の受信は、上述した図１４に示すような制御例で実施される。すなわち、共通制御情報のマッピング方法として、最大の周波数帯域幅とＴｄｃｃｃｈ時間を占める無線リソースにおいて、最大周波数帯域幅を含むＢｎ（ｎ＝１，２，３，４，５）移動局クラスの全ての移動局に対応した報知情報及びパケットページングインジケーターＰＩ情報の共通制御情報が、Ｂｎの周波数帯域幅にマッピング（コピー、誤り訂正方式変更）されている。これにより受信品質劣化の場合、Ｂｎ移動局クラスの全ての移動局は、Ｂｎ移動局クラスの周波数帯域幅で、または順次にＢ１、Ｂ２、…、Ｂｎの周波数帯域幅を広げて、コピーされた報知情報及びページングインジケーターＰＩ情報を受信し、周波数ダイバシチー効果、誤り訂正効果により受信品質改善を行う。
【０１８３】
すなわち図１４において、最大周波数帯域幅Ｂ５の移動局クラスの移動局は、受信周波数帯域幅、ＩＦＦＴポイント数、動作クロックなどを最小周波数帯域幅Ｂ１に合わせて制御を行い、待受け手順（期間）に必要な共通制御情報、すなわち、報知情報及びパケットページングインジケーターＰＩ情報を受信することができる。このときに受信品質劣化の場合、Ｂ５移動局クラスの移動局は、Ｂ５移動局クラスの周波数帯域幅で、またはＢ１、Ｂ２、…、Ｂ５の周波数帯域幅を順次広げて（図１４のＴ３はＢ４の周波数帯域幅で受信中の様子を示す）、コピーされた報知情報及びパケットページングインジケーターＰＩ情報を受信し、周波数ダイバシチー効果により受信品質改善を行う。そして、パケットページング情報の受信、もしく発信判断によりアクティブモードに遷移するための接続手順（期間）では、最大周波数帯域幅Ｂ５に広げて制御を行う。
こうして全ての移動局は最小周波数帯域幅（例えばＢ１）で間欠受信を行い、アイドルモードにおける待受け手順（期間）の消費電力を最小限に抑えることができる。
【０１８４】
上記第３の実施形態により、最大周波数帯域幅を含むＢｎ（ｎ＝１，２，３，４，５）移動局クラスの全ての移動局は、最小周波数帯域幅で動作し、受信品質劣化の場合、Ｂｎ移動局クラスの周波数帯域幅で、または順次にＢ１、Ｂ２、…、Ｂｎの周波数帯域幅を広げて、待受け手順（期間）で少ない待ち受け消費電力を実現し、移動局の小型化、長待ち受け時間の要求を実現できる。
【０１８５】
なお上記の図１５Ｂでは、Ｂｎの周波数帯域幅の増加に伴って誤り訂正符号の冗長ビットを減少（例えば、符号化率８／９→４／５→３／４→２／３→１／２）させて、周波数帯域幅の増加に伴って誤り訂正利得が減少しているが、図１５Ｃのように、Ｂｎの周波帯域の増加に伴って誤り訂正符号の冗長ビットを増加させることにより、無線リソースの利用効率、周波数ダイバシチー効果の向上を図るようにしてもよい。
【０１８６】
また上記実施形態において、最大の周波数帯域幅ＢｎとＴｄｃｃｃｈ時間を占める無線リソースにおいて、最大周波数帯域幅を含むＢｎ移動局クラスの全ての移動局に対応した報知情報及びパケットページングインジケーターＰＩ情報の共通制御情報の異なる誤り訂正方式の冗長ビットが、Ｂｎの周波数帯域幅にマッピング（誤り訂正方式変更）され、すなわち、最大周波数帯域幅ＢｎとＴｄｃｃｃｈ時間を占める無線リソースにおける、最大周波数帯域幅を含むＢｎ移動局クラスの全ての移動局に対応した報知情報及びパケットページングインジケーターＰＩ情報をＢｎの周波数帯域幅にコピーしない、同じ情報に対する異なる誤り訂正方式の冗長ビットだけを追加するようにしてもよい。
【０１８７】
そして、品質劣化により最小周波数帯域幅Ｂ１から受信した情報に誤りが発生する場合、Ｂ１以外の周波数帯域幅から、同じ情報の異なる誤り訂正方式の冗長ビットを受信し、再び復号化を行うようにする。
図１５Ｄ及び図１５Ｅは、報知情報及びパケットページングインジケーターＰＩ情報をＢｎの周波数帯域幅にコピーしない、同じ情報の異なる誤り訂正符号化の冗長ビットを付加して符号化率を変更する様子を示している。
【０１８８】
また図１５Ｄでも同様に、Ｂｎの周波数帯域幅の増加に伴って誤り訂正符号の冗長ビットを減少（例えば、符号化率８／９→４／５→３／４→２／３→１／２）させ、周波数帯域幅の増加に伴って誤り訂正利得が減少しているが、図１５Ｅのように、Ｂｎの周波帯域の増加に伴って誤り訂正符号の冗長ビットを増加させることにより、無線リソースの利用効率、周波数ダイバシチー効果の向上を図るようにしてもよい。
【０１８９】
（第４の実施形態）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本実施形態において、ＥＵＴＲＡの上り・下りリンクのチャネル構成、移動局のパケット呼の発着信フローチャート、下りリンク無線フレームの構成、基地局及び移動局の構成については、上記第１の実施形態と同様のためその繰り返しの説明は省略する。
【０１９０】
図１６Ａ〜図１６Ｃは、本発明の第４の実施形態を説明するための図である。第４の実施形態では、上記第１〜第３の実施形態と同様に、ＥＵＴＲＡに対する３ＧＰＰの提案をベースに想定されている下りリンク共通制御チャネルのマッピング方法の１つ、報知情報（Ｗ−ＣＤＭＡ方式の報知チャネルＢＣＨに相当）とパケット呼の有無を指すパケットページングインジケーターＰＩ情報（Ｗ−ＣＤＭＡ方式のページングインジケーターチャネルＰＩＣＨに相当）のマッピング方法、及びその報知情報とパケットページングインジケーターＰＩ情報のマッピング方法に対応する移動局の共通制御情報受信方法を提案する。
【０１９１】
本実施形態では、図１６Ａに示すように、図５に示した下りリンク共通制御チャネルＤＣＣＣＨの部分を拡大し、下りリンク共通制御チャネルに含まれる共通制御情報をマッピングしている。共通制御情報のマッピング方法として、最大周波数帯域幅Ｂ５とＴｄｃｃｃｈ時間を占める無線リソースにおいて、最大周波数帯域幅を含むＢｎ（ｎ＝１，２，３，４，５）移動局クラスの全ての移動局に対応した報知情報及びパケットページングインジケーターＰＩ情報を、Ｂｎの周波数帯域幅にコピーし、異なる変調方式を採用して、分散してマッピングする。
【０１９２】
具体的には、図１６Ａに示したように、上記第１の実施形態に示した報知情報がマッピングされたエリア１と、パケットページングインジケーターＰＩ情報がマッピングされたエリア２とをエリア２１とするとき、このエリア２１を二分割し、二分割された報知情報及びパケットページングインジケーターＰＩ情報をＢ４−Ｂ３の周波数帯域幅内のエリア２４及びエリア２５にコピーし、利用可能な無線リソースに合わせて、変調方式、例えば変調度（Ｍｏｄｕｌａｔｉｏｎ  Ｏｒｄｅｒ）などを変更する。
そして上記のような報知情報とパケットページングインジケーターＰＩ情報を、上記のＢ４−Ｂ３の周波数帯域幅内の各エリアだけでなく、Ｂｎの全ての周波数帯域内（すなわちＢｎ−Ｂｍ（ｎ，ｍ＞１；ｎ−ｍ＝１）の全ての周波数帯域）にコピーし、利用可能なリソースに合わせて変調方式を変更する。
【０１９３】
図１６ＡはＢｎ（ｎ＝１，２，３，４，５）の周波数帯域幅にコピーし、変調度を変更する様子を示している。
上記のように最大周波数帯域幅を含むＢｎ（ｎ＝１，２，３，４，５）移動局クラスの全ての移動局の報知情報及びパケットページングインジケーターＰＩ情報を、各Ｂｎ移動局クラスの周波数帯域にマッピングすることにより、各Ｂｎ移動局クラスの移動局は、最小周波数帯域幅Ｂ１を通じて、報知情報及びパケットページングインジケーターＰＩ情報を受信することができる。
【０１９４】
そして本実施形態では、受信品質劣化に伴って、Ｂｎ移動局クラスの周波数帯域幅で、またはＢ１、Ｂ２、…、Ｂｎの周波数帯域幅を順次広げてコピーし、異なる誤り変調方式が採用された報知情報及びパケットページングインジケーターＰＩ情報を受信することができる。ここでは異なる周波数帯域幅にある複数コピー情報を受信することにより周波数ダイバシチー効果が得られ、受信品質の改善が可能となる。また、変調方式の変更により変調利得を増加させ、抗干渉能力を向上することができる。
すなわち、図４の移動局のパケット発着信フローチャートに示したように、Ｂｎ移動局クラスの全ての移動局は、各周波数帯域幅を通じて受信品質が改善され、待受け手順（期間）を正常に動作させることができる。
【０１９５】
上記のように、最大周波数帯域幅を含むＢｎ（ｎ＝１，２，３，４，５）移動局クラスの全ての移動局に対応した報知情報、パケットページングインジケーターＰＩ情報の共通制御情報を、Ｂｎの周波数帯域幅（Ｂｎを含むＢｎ以下の各周波数帯域幅に）にマッピング（コピーし、変調方式を変更する）することが第４の実施形態の特徴である。
【０１９６】
上記の共通制御情報のマッピング方法に対応した移動局の共通制御情報の受信は、上述した図１４に示すような制御例で実施される。すなわち、共通制御情報のマッピング方法として、最大の周波数帯域幅ＢｎとＴｄｃｃｃｈ時間を占める無線リソースにおいて、最大周波数帯域幅を含むＢｎ（ｎ＝１，２，３，４，５）移動局クラスの全ての移動局に対応した報知情報及びパケットページングインジケーターＰＩ情報の共通制御情報が、Ｂｎの周波数帯域幅にマッピング（コピーし、変調方式を変更する）されている。これにより受信品質劣化の場合、Ｂｎ移動局クラスの全ての移動局は、Ｂｎ移動局クラスの周波数帯域幅で、またはＢ１、Ｂ２、…、Ｂｎの周波数帯域幅を順次広げて、コピーされた報知情報及びパケットページングインジケーターＰＩ情報を受信し、周波数ダイバシチー効果、抗干渉能力の向上により受信品質改善を行う。
【０１９７】
すなわち図１４において、最大周波数帯域幅Ｂ５の移動局クラスの移動局は、受信周波数帯域幅、ＩＦＦＴポイント数、動作クロックなどを最小周波数帯域幅Ｂ１に合わせて制御を行い、待受け手順（期間）に必要な共通制御情報、すなわち、報知情報及びパケットページングインジケーターＰＩ情報を受信することができる。このときに受信品質劣化の場合、Ｂ５移動局クラスの移動局は、Ｂ５移動局クラスの周波数帯域幅で、またはＢ１、Ｂ２、…、Ｂ５の周波数帯域幅を順次広げて（図１４のＴ３はＢ４の周波数帯域幅で受信中の様子を示す）、コピーされた報知情報及びパケットページングインジケーターＰＩ情報を受信し、周波数ダイバシチー効果により受信品質改善を行う。そして、パケットページング情報の受信、もしくパケット発信判断によりアクティブモードに遷移するための接続手順（期間）では、最大周波数帯域幅Ｂ５に広げて制御を行う。
こうして全ての移動局は最小周波数帯域幅Ｂ１で間欠受信を行い、アイドルモードにおける待受け手順（期間）の消費電力を最小限に抑えることができる。
【０１９８】
上記第４の実施形態により、最大周波数帯域幅を含むＢｎ（ｎ＝１，２，３，４，５）移動局クラスの全ての移動局は、最小周波数帯域幅で動作し、受信品質劣化の場合、Ｂｎ移動局クラスの周波数帯域幅で、または順次にＢ１、Ｂ２、…、Ｂｎの周波数帯域幅を広げて、待受け手順（期間）で少ない待ち受け消費電力を実現し、移動局の小型化、長待ち受け時間の要求を実現できる。
【０１９９】
なお上記の図１６Ｂでは、Ｂｎの周波数帯域幅の増加に伴って変調度を減少（例えば６４ＱＡＭ→１６ＱＡＭ→８ＱＡＭ→ＱＰＳＫ→ＢＰＳＫ）させて、変調利得が増加しているが、図１６Ｃのように、Ｂｎの周波帯域の増加に伴って変調度を増加させることにより、無線リソースの利用効率、周波数ダイバシチー効果及び抗干渉能力の向上を図るようにしてもよい。
【０２００】
（第５の実施形態）
上記のようにＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本実施形態では、ＥＵＴＲＡの上り・下りリンクのチャネル構成、移動局のパケット呼の発着信フローチャート、下りリンク無線フレームの構成、基地局及び移動局の構成については、上記第１の実施形態と同様のためその繰り返しの説明は省略する。
【０２０１】
図１７Ａ〜図１７Ｃは、本発明の第５の実施形態を説明するための図である。第５の実施形態では、第１〜第４の実施形態と同様に、ＥＵＴＲＡに対する３ＧＰＰの提案をベースに想定されている下りリンク共通制御チャネルのマッピング方法の１つ、報知情報（Ｗ−ＣＤＭＡ方式の報知チャネルＢＣＨに相当）とパケット呼の有無を指すパケットページングインジケーターＰＩ情報（Ｗ−ＣＤＭＡ方式のページングインジケーターチャネルＰＩＣＨに相当）のマッピング方法、及びその報知情報とパケットページングインジケーターＰＩ情報のマッピング方法に対応する移動局の共通制御情報受信方法を提案する。
【０２０２】
本実施形態は、図１７Ａに示すように、図５に示した下りリンク共通制御チャネルＤＣＣＣＨの部分を拡大し、下りリンク共通制御チャネルに含まれる共通制御情報をマッピングする。共通制御情報のマッピング方法として、最大周波数帯域幅（例えばＢ５）とＴｄｃｃｃｈ時間の無線リソースにおいて、最大周波数帯域幅を含むＢｎ（ｎ＝１，２，３，４，５）移動局クラスの全ての移動局に対応した報知情報及びパケットページングインジケーターＰＩ情報を、Ｂｎの周波数帯域幅にコピーし、異なる符号拡散率（ＳＦ）を採用して分散してマッピングする。
【０２０３】
具体的には、図１７Ａに示したように、上記第１の実施形態に示した報知情報がマッピングされたエリア１と、パケットページングインジケーターＰＩ情報がマッピングされたエリア２とをエリア２１とするとき、このエリア２１を二分割し、二分割された報知情報及びパケットページングインジケーターＰＩ情報をＢ４−Ｂ３の周波数帯域幅内のエリア２４及びエリア２５にコピーし、利用可能な無線リソースに合わせて、拡散率を変更する。
そして上記のような報知情報とパケットページングインジケーターＰＩ情報を、上記のＢ４−Ｂ３の周波数帯域幅内の各エリアだけでなく、Ｂｎの全ての周波数帯域内（すなわちＢｎ−Ｂｍ（ｎ，ｍ＞１；ｎ−ｍ＝１）の全ての周波数帯域）にコピーし、利用可能なリソースに合わせて拡散率を変更する。
【０２０４】
図１７Ａは、Ｂｎ（ｎ＝１，２，３，４，５）の周波数帯域幅にコピーし、拡散率を変更する様子を示している。
上記のように最大周波数帯域幅を含むＢｎ（ｎ＝１，２，３，４，５）移動局クラスの全ての移動局の報知情報及びパケットページングインジケーターＰＩ情報を、各Ｂｎ移動局クラスの周波数帯域にマッピングすることにより、各Ｂｎ移動局クラスの移動局は、最小周波数帯域幅Ｂ１を通じて、報知情報及びパケットページングインジケーターＰＩ情報を受信することができる。
【０２０５】
本実施形態では、受信品質劣化に伴って、Ｂｎ移動局クラスの周波数帯域幅で、またはＢ１、Ｂ２、…、Ｂｎの周波数帯域幅を順次広げてコピーし、異なる符号拡散率（ＳＦ）が採用された報知情報及びパケットページングインジケーターＰＩ情報を受信することができる。ここでは異なる周波数帯域幅にある複数コピー情報を受信することにより周波数ダイバシチー効果が得られ、受信品質の改善が可能となる。
また、符号拡散率（ＳＦ）の変更により、拡散率を増加させ、抗干渉能力を向上することができる。すなわち、図４の移動局のパケット発着信フローチャートに示したように、Ｂｎ移動局クラスの全ての移動局は、各周波数帯域幅を通じて受信品質が改善され、待受け手順（期間）を正常に動作させることができる。
【０２０６】
上記のように、最大周波数帯域幅を含むＢｎ（ｎ＝１，２，３，４，５）移動局クラスの全ての移動局に対応した報知情報及びパケットページングインジケーターＰＩ情報の共通制御情報を、Ｂｎの周波数帯域幅（Ｂｎを含むＢｎ以下の各周波数帯域幅に）にマッピング（コピーし、拡散率を変更する）することが第５の実施形態の特徴である。
【０２０７】
上記の共通制御情報のマッピング方法に対応した移動局の共通制御情報の受信は、上述した図１４に示すような制御例で実施される。すなわち、共通制御情報のマッピング方法として、最大の周波数帯域幅ＢｎとＴｄｃｃｃｈ時間を占める無線リソースにおいて、最大周波数帯域幅を含むＢｎ（ｎ＝１，２，３，４，５）移動局クラスの全ての移動局に対応した報知情報、パケットページングインジケーターＰＩ情報の共通制御情報が、Ｂｎの周波数帯域幅にマッピング（コピーし、拡散率を変更する）されている。これにより受信品質劣化の場合、Ｂｎ移動局クラスの全ての移動局は、Ｂｎ移動局クラスの周波数帯域幅で、または順次にＢ１、Ｂ２、…、Ｂｎの周波数帯域幅を広げて、コピーされた報知情報、パケットページングインジケーターＰＩ情報を受信し、周波数ダイバシチー効果、拡散利得により受信品質改善を行う。移動局は間欠受信し、アイドルモードにおける待受け手順（期間）の消費電力を低減することができる。
【０２０８】
すなわち図１４において、最大周波数帯域幅Ｂ５の移動局クラスの移動局は、受信周波数帯域幅、ＩＦＦＴポイント数、動作クロックなどを最小周波数帯域幅Ｂ１に合わせて制御を行い、待受け手順（期間）に必要な共通制御情報、すなわち、報知情報及びパケットページングインジケーターＰＩ情報を受信することができる。このときに受信品質劣化の場合、Ｂ５移動局クラスの移動局は、Ｂ５移動局クラスの周波数帯域幅で、またはＢ１、Ｂ２、…、Ｂ５の周波数帯域幅を順次広げて（図１４のＴ３はＢ４の周波数帯域幅で受信中の様子を示す）、コピーされた報知情報及びパケットページングインジケーターＰＩ情報を受信し、周波数ダイバシチー効果により受信品質改善を行う。そして、パケットページング情報の受信、もしくはパケット発信判断によりアクティブモードに遷移するための接続手順（期間）では、最大周波数帯域幅Ｂ５に広げて制御を行う。
こうして全ての移動局は最小周波数帯域幅（例えばＢ１）で間欠受信を行い、アイドルモードにおける待受け手順（期間）の消費電力を最小限に抑えることができる。
【０２０９】
上記第５の実施形態により、最大周波数帯域幅を含むＢｎ移動局クラスの全ての移動局は、最小周波数帯域幅で動作し、受信品質劣化の場合、Ｂｎ移動局クラスの周波数帯域幅で、またはＢ１、Ｂ２、…、Ｂｎの周波数帯域幅を順次広げて、待受け手順（期間）で少ない待ち受け消費電力を実現し、移動局の小型化、長待ち受け時間の要求を実現できる。
【０２１０】
なお上記の図１７Ｂでは、Ｂｎの周波数帯域幅の増加に伴って拡散率を増大（例えば１→２→４→８→１６）させ、拡散利得を増加しているが、図１７Ｃのように、Ｂｎの周波帯域の増加に伴って拡散率を減少させることにより、無線リソースの利用効率、周波数ダイバシチー効果及び抗干渉能力の向上を図るようにしてもよい。
【０２１１】
（第６の実施形態）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本実施形態において、ＥＵＴＲＡの上り・下りリンクのチャネル構成、移動局のパケット呼の発着信フローチャート、下りリンク無線フレームの構成、基地局及び移動局の構成については、上記第１の実施形態と同様のため繰り返しの説明は省略する。
【０２１２】
図１８Ａ〜図１８Ｃは、本発明の第６の実施形態を説明するための図である。第６の実施形態では、上記第１〜第５の実施形態と同様に、ＥＵＴＲＡに対する３ＧＰＰの提案をベースに想定されている下りリンク共通制御チャネルのマッピング方法の１つ、報知情報（Ｗ−ＣＤＭＡ方式の報知チャネルＢＣＨに相当）とパケットページングインジケーターＰＩ情報（Ｗ−ＣＤＭＡ方式のページングインジケーターチャネルＰＩＣＨに相当）のマッピング方法、及びその報知情報とパケットページングインジケーターＰＩ情報のマッピング方法に対応する移動局の共通制御情報受信方法を提案する。
【０２１３】
本実施形態は、図１８Ａに示すように、図５に示した下りリンク共通制御チャネルＤＣＣＣＨの部分を拡大し、下りリンク共通制御チャネルに含まれる共通制御情報をマッピングする。共通制御情報のマッピング方法として、最大周波数帯域幅ＢｎとＴｄｃｃｃｈ時間を占める無線リソースにおいて、最大周波数帯域幅を含むＢｎ（ｎ＝１，２，３，４，５）移動局クラスの全ての移動局に対応した報知情報及びパケットページングインジケーターＰＩ情報を、Ｂｎの周波数帯域幅にコピーし、異なる送信電力を採用して分散してマッピングする。
【０２１４】
具体的には、図１８Ａに示したように、上記第１の実施形態に示した報知情報がマッピングされたエリア１と、パケットページングインジケーターＰＩ情報がマッピングされたエリア２とをエリア２１とするとき、このエリア２１を二分割し、二分割された報知情報及びパケットページングインジケーターＰＩ情報をＢ４−Ｂ３の周波数帯域幅内のエリア２４及びエリア２５にコピーし、利用可能な無線リソースに合わせて、送信電力を変更する。
そして上記のような報知情報とパケットページングインジケーターＰＩ情報を、上記のＢ４−Ｂ３の周波数帯域幅内の各エリアだけでなく、Ｂｎの全ての周波数帯域内（すなわちＢｎ−Ｂｎ−１の全ての周波数帯域）にコピーし、利用可能なリソースに合わせて送信電力を変更する。
【０２１５】
図１８ＡはＢｎの周波数帯域幅にコピーし、送信電力を変更する様子を示している。
上記のように最大周波数帯域幅を含むＢｎ（ｎ＝１，２，３，４，５）移動局クラスの全ての移動局の報知情報及びパケットページングインジケーターＰＩ情報を、各Ｂｎ移動局クラスの周波数帯域にマッピングすることにより、各Ｂｎ移動局クラスの移動局は、最小周波数帯域幅Ｂ１を通じて、報知情報及びパケットページングインジケーターＰＩ情報を受信することができる。
【０２１６】
本実施形態では、受信品質劣化に伴って、Ｂｎ移動局クラスの周波数帯域幅で、またはＢ１、Ｂ２、…、Ｂｎの周波数帯域幅を順次広げてコピーし、異なる送信電力を使用された報知情報及びパケットページングインジケーターＰＩ情報を受信することができる。異なる周波数帯域幅にある複数コピー情報を受信することにより周波数ダイバシチー効果が得られ、受信品質の改善が可能となる。また、誤り訂正方式、変調方式及び符号拡散率の変更により、送信電力を調整し、抗干渉能力を向上することができる。すなわち、図４の移動局のパケット発着信フローチャートに示したように、Ｂｎ移動局クラスの全ての移動局は、Ｂｎ周波数帯域幅を通じて、受信品質を改善し、待受け手順（期間）が正常に動作することができる。
【０２１７】
上記のように、最大周波数帯域幅を含むＢｎ（ｎ＝１，２，３，４，５）移動局クラスの全ての移動局に対応した報知情報及びパケットページングインジケーターＰＩ情報の共通制御情報を、Ｂｎの周波数帯域幅（Ｂｎを含むＢｎ以下の各周波数帯域幅に）にマッピング（コピーし、送信電力を変更する。あるいは、前記第３〜５の実施形態に送信電力調整を加える）することが第６の実施形態の特徴である。
【０２１８】
上記の共通制御情報のマッピング方法に対応した移動局の共通制御情報の受信は、上述した図１４に示すような制御例で実施される。すなわち、共通制御情報のマッピング方法として、最大の周波数帯域幅とＴｄｃｃｃｈ時間を占める無線リソースにおいて、最大周波数帯域幅を含むＢｎ（ｎ＝１，２，３，４，５）移動局クラスの全ての移動局に対応した報知情報及びパケットページングインジケーターＰＩ情報の共通制御情報が、Ｂｎの周波数帯域幅にマッピング（コピーし、送信電力を変更する。あるいは、前記第３〜５の実施形態に送信電力調整を加える）されている。これにより受信品質劣化の場合、Ｂｎ移動局クラスの全ての移動局は、Ｂｎ移動局クラスの周波数帯域幅で、またはＢ１、Ｂ２、…、Ｂｎの周波数帯域幅を順次広げて、コピーされた報知情報及びパケットページングインジケーターＰＩ情報を受信し、周波数ダイバシチー効果及び抗干渉能力の向上により受信品質改善を行う。
【０２１９】
すなわち図１４において、最大周波数帯域幅Ｂ５の移動局クラスの移動局は、受信周波数帯域幅、ＩＦＦＴポイント数、動作クロックなどを最小周波数帯域幅Ｂ１に合わせて制御を行い、待受け手順（期間）に必要な共通制御情報、すなわち、報知情報及びパケットページングインジケーターＰＩ情報を受信することができる。このときに受信品質劣化の場合、Ｂ５移動局クラスの移動局は、Ｂ５移動局クラスの周波数帯域幅で、またはＢ１、Ｂ２、…、Ｂ５の周波数帯域幅を順次広げて（図１４のＴ３はＢ４の周波数帯域幅で受信中の様子を示す）、コピーされた報知情報及びパケットページングインジケーターＰＩ情報を受信し、周波数ダイバシチー効果により受信品質改善を行う。そして、ページング情報の受信、もしくパケット発信判断によりアクティブモードに遷移するための接続手順（期間）では、最大周波数帯域幅Ｂ５に広げて制御を行う。
こうして全ての移動局は最小周波数帯域幅Ｂ１で間欠受信を行い、アイドルモードにおける待受け手順（期間）の消費電力を最小限に抑えることができる。
【０２２０】
上記第６の実施形態により、最大周波数帯域幅を含むＢｎ（ｎ＝１，２，３，４，５）移動局クラスの全ての移動局は、最小周波数帯域幅で動作し、受信品質劣化の場合、Ｂｎ移動局クラスの周波数帯域幅で、または順次にＢ１、Ｂ２、…、Ｂｎの周波数帯域幅を広げて、待受け手順（期間）で少ない待ち受け消費電力を実現し、移動局の小型化、長待ち受け時間の要求を実現できる。
【０２２１】
なお上記の図１８Ｂでは、Ｂｎの周波数帯域幅の増加に伴って送信電力を増加（例えば（−８）→（−６）→（−４）→（−２）→（０））させ、抗干渉能力を向上しているが、図１８Ｃのように、Ｂｎの周波帯域の増加に伴って送信電力を減少させることにより、無線リソースの利用効率、周波数ダイバシチー効果の向上を図るようにしてもよい。
【０２２２】
第２〜６の実施形態では、最大周波数帯域幅を含むＢｎ（ｎ＝１，２，３，４，５）移動局クラスの全ての移動局に対応した報知情報及びパケットページングインジケーターＰＩ情報の共通制御情報を、Ｂｎの周波数帯域幅にマッピングする方法として、情報のコピー、誤り訂正方式変更、変調方式変更、符号拡散率変更、送信電力変更の方法をそれぞれ提示したが、異なる周波数帯域幅ＢｎとＴｄｃｃｃｈ時間を占める無線リソースにおいて、それぞれ異なるマッピング方法を採用してもよい。
【０２２３】
また、第２〜６の実施形態では、報知情報及びパケットページングインジケーターＰＩ情報をコピーし、誤り訂正方式変更、変調方式変更、符号拡散率変更、送信電力変更の方法を提示したが、図１５Ｄ及び図１５Ｅに示したように、誤り訂正符号の冗長ビットだけを追加することもできる。また異なる周波数帯域幅Ｂｎに関連する一部情報のコピー、さまざまなデジタル信号処理を行い、生成した報知情報及びパケットページングインジケーターＰＩ情報を上記の指定周波数帯域にマッピングし、誤り訂正方式変更、変調方式変更、符号拡散率変更、送信電力変更の方法を採用してもよい。
【０２２４】
第１〜６の実施形態では、最大周波数帯域幅を含むＢｎ（ｎ＝１，２，３，４，５）移動局クラスの全ての移動局に対応した報知情報とパケットページングインジケーターＰＩ情報を一緒に、最小周波数帯域幅Ｂ１にマッピングし、またはＢｎの全ての周波数帯域幅Ｂｎ−Ｂｍ（ｎ，ｍ＞１；ｎ−ｍ＝１）にマッピングし、誤り訂正方式変更、変調方式変更、符号拡散率変更、送信電力変更により、分散してマッピングのマッピングする方法を提示したが、最大周波数帯域幅を含むＢｎ（ｎ＝１，２，３，４，５）移動局クラスの全ての移動局に対応したパケットページングインジケーターＰＩ情報は、報知情報と異なるマッピングを行ってもよい。
【０２２５】
例えば、最大周波数帯域幅を含むＢｎ（ｎ＝１，２，３，４，５）移動局クラスの全ての移動局に対応したパケットページングインジケーターＰＩ情報は、最小周波数帯域幅Ｂ１にマッピングすることなく、最大周波数帯域幅ＢｎとＴｄｃｃｃｈ時間を占める無線リソースを分割して（例えば１．２５ＭＨｚ単位でグループに分け）、複数移動局のパケットページングインジケーターＰＩをグルーピングする方法（例えば１．２５ＭＨｚ）も考えられる。この場合、第１〜６の実施形態は、最大周波数帯域幅を含むＢｎ（ｎ＝１，２，３，４，５）移動局クラスの全ての移動局に対応した報知情報だけに適用してもよい。逆に、最大周波数帯域幅を含むＢｎ（ｎ＝１，２，３，４，５）移動局クラスの全ての移動局に対応した報知情報が他のマッピング方法を採用する場合、最大周波数帯域幅を含むＢｎ（ｎ＝１，２，３，４，５）移動局クラスの全ての移動局に対応したパケットページングインジケーターＰＩ情報だけに適用してもよい。
【０２２６】
第１〜６の実施形態は、最大周波数帯域幅を含むＢｎ（ｎ＝１，２，３，４，５）移動局クラスの全ての移動局に対応した報知情報だけに適用する場合、図４に示した接続手順（期間）に、自局が属する着信群＃ｎのパケットページングインジケーターＰＩ情報のチェック（ステップＳ４）が含まれる。
【０２２７】
（第１の参考例）
上記の各実施形態では、下りリンク共通制御チャネルの報知情報（Ｗ−ＣＤＭＡ方式の報知チャネルＢＣＨに相当）とパケットページングインジケーターＰＩ情報（Ｗ−ＣＤＭＡ方式のページングインジケーターチャネルＰＩＣＨに相当）のマッピングに関する実施形態を説明したが、本実施形態を含む以下の実施形態では、下りリンク共通制御チャネルのマッピング方法の１つ、下りアクセス情報（Ｗ−ＣＤＭＡ方式の下りアクセスチャネルＦＡＣＨに相当）とパケット呼に対応するパケットページング情報（Ｗ−ＣＤＭＡ方式のページングチャネルＰＣＨに相当）のマッピングに関する参考例を説明する。
【０２２８】
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本参考例において、ＥＵＴＲＡの上り・下りリンクのチャネル構成、移動局のパケット呼の発着信フローチャート、下りリンク無線フレームの構成、基地局及び移動局の構成については、上記第１の実施形態と同様のため繰り返しの説明は省略する。
【０２２９】
図１９は、本発明の第１の参考例を説明するための図である。第１の参考例では、ＥＵＴＲＡに対する３ＧＰＰの提案をベースに想定されている下りリンク共通制御チャネルのマッピング方法の１つ、下りアクセス情報（Ｗ−ＣＤＭＡ方式の下りアクセスチャネルＦＡＣＨに相当）とパケットページング情報（Ｗ−ＣＤＭＡ方式のページングチャネルＰＣＨに相当）のマッピング方法、及びその下りアクセス情報とパケットページング情報のマッピング方法に対応する移動局の共通制御情報受信方法を提案する。
【０２３０】
図１９では、図５に示した下りリンク共通制御チャネルＤＣＣＣＨの部分を拡大し、下りリンク共通制御チャネルに含まれる共通制御情報のマッピング方法を示している。共通制御情報のマッピング方法として、最小周波数帯域幅Ｂ１とＴｄｃｃｃｈ時間を占める無線リソースに、最小周波数帯域幅Ｂ１の移動局クラスの全ての移動局に対応した下りアクセス情報及びパケットページング情報がマッピングされている。
【０２３１】
具体的には、図１９に示したように、下りアクセス情報をエリア３に、またパケットページング情報をエリア４にマッピングする。このように最小周波数帯域幅Ｂ１の移動局クラスの全ての移動局の下りアクセス情報及びパケットページング情報を、最小周波数帯域幅Ｂ１にマッピングすることにより、最小周波数帯域幅Ｂ１の移動局クラスの全ての移動局は、最小周波数帯域幅Ｂ１を通じて、下りアクセス情報、パケットページング情報を受信することができる。すなわち、図４の移動局のパケット発着信フローチャートに示したように、最小周波数帯域幅Ｂ１の移動局クラスの全ての移動局は、最小周波数帯域幅Ｂ１を通じて、接続手順（期間）を正常に動作させることができる。
【０２３２】
ここでは共通制御情報のマッピング方法として、周波数帯域幅Ｂ１とＴｄｃｃｃｈ時間を占める無線リソースに、最小周波数帯域幅Ｂ１の移動局クラスの全ての移動局に対応した下りアクセス情報、パケットページング情報の共通制御情報がマッピングされているため、最小周波数帯域幅Ｂ１の移動局クラスの全ての移動局は、受信周波数帯域幅、ＩＦＦＴポイント数、動作クロックなどを最小周波数帯域幅Ｂ１に合わせて制御を行い、接続手順（期間）に必要な共通制御情報、すなわち、下りアクセス情報及びパケットページング情報を受信することができる。
【０２３３】
上記のように、最小周波数帯域幅Ｂ１の移動局クラスの全ての移動局に対応した下りアクセス情報、パケットページング情報の共通制御情報を最小周波数帯域幅Ｂ１にマッピングすることが第７の実施形態の特徴である。
【０２３４】
図２０は、上記の共通制御情報のマッピング方法に対応した移動局の共通制御情報の受信制御例を説明する図である。図２０において、移動局消費電力が高いＴ１，Ｔ３は待ち受け手順（期間）の間欠受信時の受信部オンの期間中、Ｔ５は接続手順（期間）時の受信部オンの期間中を示し、Ｔ２，Ｔ４は間欠受信時の受信部オフの期間中を示す。なおここでは、Ｔ２、Ｔ４は１つの無線フレーム単位と対応しているが、１つ以上の無線フレーム単位と対応してもよい。またＴ１、Ｔ３は異なる長さ、あるいはＴＴＩ単位、ＯＦＤＭシンボル単位、あるいはそれらの複数に対応してもよい。
【０２３５】
最小周波数帯域幅Ｂ１の移動局クラスの全ての移動局は、受信周波数帯域幅、ＩＦＦＴポイント数、動作クロックなどを最小周波数帯域幅Ｂ１に合わせて制御を行い、接続手順（期間）に必要な共通制御情報、すなわち、下りアクセス情報及びパケットページング情報を受信することができる。
そして第１の実施形態の報知情報及びページングインジケーター情報の受信と組合せることにより、最小周波数帯域幅Ｂ１の移動局クラスの全ての移動局は最小周波数帯域幅Ｂ１で間欠受信し、パケット発着信がある場合、最小周波数帯域幅Ｂ１で動作し、接続手順（期間）における消費電力を最小限に抑えることができる。
【０２３６】
上記第１の参考例により、最小周波数帯域幅Ｂ１の移動局クラスの全ての移動局は、最小周波数帯域幅Ｂ１で動作し、待受け手順（期間）及び接続手順（期間）で最小の消費電力を実現し、移動局の小型化、長待ち受け時間の要求を実現できる。
【０２３７】
（第２の参考例）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本参考例において、ＥＵＴＲＡの上り・下りリンクのチャネル構成、移動局のパケット呼の発着信フローチャート、下りリンク無線フレームの構成、基地局及び移動局の構成については、上記第１の実施形態と同様のため繰り返しの説明は省略する。
【０２３８】
図２１は、本発明の第２の参考例を説明するための図である。第２の参考例では、上記第１の参考例と同様に、ＥＵＴＲＡに対する３ＧＰＰの提案をベースに想定されている下りリンク共通制御チャネルのマッピング方法の１つ、下りアクセス情報（Ｗ−ＣＤＭＡ方式の下りアクセスチャネルＦＡＣＨに相当）とパケット呼に対応するパケットページング情報（Ｗ−ＣＤＭＡ方式のページングチャネルＰＣＨに相当）のマッピング方法、及びその下りアクセス情報とパケットページング情報のマッピング方法に対応する移動局の共通制御情報受信方法を提案する。
【０２３９】
図２１では、図５に示した下りリンク共通制御チャネルＤＣＣＣＨの部分を拡大し、下りリンク共通制御チャネルに含まれる共通制御情報のマッピング方法を示している。共通制御情報のマッピング方法として、最小周波数帯域幅Ｂ１とＴｄｃｃｃｈ時間を占める無線リソースに、最大周波数帯域幅を含むＢｎ（ｎ＝１，２，３，４，５）移動局クラスの全ての移動局に対応した下りアクセス情報及びパケットページング情報がマッピングされている。
【０２４０】
具体的には、図２１に示したように、下りアクセス情報をエリア５に、パケットページング情報をエリア６にマッピングする。このように最大周波数帯域幅を含むＢｎ（ｎ＝１，２，３，４，５）移動局クラスの全ての移動局の下りアクセス情報及びパケットページング情報を、最小周波数帯域幅Ｂ１にマッピングすることにより、最大周波数帯域幅を含むＢｎ（ｎ＝１，２，３，４，５）移動局クラスの全ての移動局は、最小周波数帯域幅Ｂ１を通じて、下りアクセス情報及びパケットページング情報を受信することができる。
【０２４１】
すなわち、図４の移動局のパケット発着信フローチャートに示したように、最大周波数帯域幅を含むＢｎ（ｎ＝１，２，３，４，５）移動局クラスの全ての移動局は、最小周波数帯域幅Ｂ１を通じて、接続手順（期間）を正常に動作させることができる。また最大周波数幅Ｂｎと最小周波数幅Ｂ１間を占める無線リソースは、他のチャネル、例えば下りリンク共用データチャネルにマッピングすることができる。
【０２４２】
上記のように、最大周波数帯域幅を含むＢｎ（ｎ＝１，２，３，４，５）移動局クラスの全ての移動局に対応した下りアクセス情報及びパケットページング情報の共通制御情報を、最小周波数帯域幅Ｂ１にマッピングすることが第２の参考例の特徴である。
【０２４３】
上記の共通制御情報のマッピング方法に対応した移動局の共通制御情報受信方法は、上述した図２０に示すような制御例で実施される。すなわち、共通制御情報のマッピング方法として、周波数帯域幅Ｂ１とＴｄｃｃｃｈ時間を占める無線リソースに、最大周波数帯域幅を含むＢｎ（ｎ＝１，２，３，４，５）移動局クラスの全ての移動局に対応した下りアクセス情報及びパケットページング情報の共通制御情報がマッピングされているため、最大周波数帯域幅を含むＢｎ（ｎ＝１，２，３，４，５）移動局クラスの全ての移動局は、受信周波数帯域幅、ＩＦＦＴポイント数、動作クロックなどを最小周波数帯域幅Ｂ１に合わせて制御を行い、接続手順（期間）に必要な共通制御情報、すなわち、下りアクセス情報、パケットページング情報を受信することができる。
【０２４４】
そして上記第１の実施形態の報知情報及びパケットページングインジケーター情報の受信と組合せることにより、最大周波数帯域幅を含むＢｎ（ｎ＝１，２，３，４，５）移動局クラスの全ての移動局は最小周波数帯域幅Ｂ１で間欠受信し、パケット発着信がある場合、最初に、最小周波数帯域幅Ｂ１で動作し、下りアクセス情報及びパケットページング情報の共通制御情報を受信し、パケット通信処理手順によりパケット通信が開始される場合、所定の周波数帯域幅Ｂｎ、中心周波数でパケット通信を行い、接続手順（期間）における消費電力を最小限に抑えることができる（図２０のＴ５は下りアクセス情報及びパケットページング情報の共通制御情報の受信期間しか示されていない）。
【０２４５】
上記第２の参考例により、最大周波数帯域幅を含むＢｎ（ｎ＝１，２，３，４，５）移動局クラスの全ての移動局は、最小周波数帯域幅Ｂ１で動作し、待受け手順（期間）及び接続手順（期間）の一部で最小の消費電力を実現し、移動局の小型化、長待ち受け時間の要求を実現できる。
【０２４６】
（第３の参考例）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本参考例において、ＥＵＴＲＡの上り・下りリンクのチャネル構成、移動局のパケット呼の発着信フローチャート、下りリンク無線フレームの構成、基地局及び移動局の構成については、上記第１の実施形態と同様のため繰り返しの説明は省略する。
【０２４７】
図２２は、本発明の第３の参考例を説明するための図である。第３の参考例では、上記第１及び第２の参考例と同様に、ＥＵＴＲＡに対する３ＧＰＰの提案をベースに想定されている下りリンク共通制御チャネルのマッピング方法の１つ、下りアクセス情報（Ｗ−ＣＤＭＡ方式の下りアクセスチャネルＦＡＣＨに相当）とパケット呼に対応するパケットページング情報（Ｗ−ＣＤＭＡ方式のページングチャネルＰＣＨに相当）のマッピング方法、及びその下りアクセス情報とパケットページング情報のマッピング方法に対応する移動局の共通制御情報受信方法を提案する。
【０２４８】
上記のように、下りリンク共通制御情報である下りアクセス情報及びパケットページング情報は、接続手順（期間）であるパケット発着信接続に使われ、無線リソースに収容する移動局の数に依存して情報量が変化する。また、報知情報及びパケット呼の有無を指すパケットページングインジケーターＰＩ情報と比べて情報量が多い。このような要因により、上記第８の実施形態のように、最大周波数帯域幅を含むＢｎ（ｎ＝１，２，３，４，５）移動局クラスの全ての移動局の下りアクセス情報及びパケットページング情報は、最小周波数帯域幅Ｂ１にマッピングすることができない場合がある。
【０２４９】
図２２では、図５に示した下りリンク共通制御チャネルＤＣＣＣＨの部分を拡大し、下りリンク共通制御チャネルに含まれる共通制御情報のマッピング方法を示している。共通制御情報のマッピング方法として、Ｂｎ−Ｂｍ（ｎ，ｍ＞１；ｎ−ｍ＝１）の周波数帯域幅（ＢｎとＢｍの周波数帯域幅の差分）とＴｄｃｃｃｈ時間を占める無線リソースに、Ｂｎ移動局クラスの全ての移動局に対応した下りアクセス情報及びパケットページング情報がマッピングされている。
【０２５０】
具体的には、図２２に示したように、下りアクセス情報をエリア７及びエリア８に、パケットページング情報をエリア９及びエリア１０にマッピングする。
このようにＢｎ移動局クラスの全ての移動局の下りアクセス情報、パケットページング情報を、Ｂｎ−Ｂｍ（ｎ，ｍ＞１；ｎ−ｍ＝１）の周波数帯域幅にマッピングすることにより、Ｂｎ移動局クラスの全ての移動局は、Ｂｎ−Ｂｍ（ｎ，ｍ＞１；ｎ−ｍ＝１）の周波数帯域幅を通じて、下りアクセス情報、パケットページング情報を受信することができる。すなわち、図４の移動局のパケット発着信フローチャートに示したように、Ｂｎ移動局クラスの全ての移動局は、Ｂｎ−Ｂｍ（ｎ，ｍ＞１；ｎ−ｍ＝１）の周波数帯域幅を通じて、接続手順（期間）を正常に動作させることができる。
【０２５１】
上記のように、Ｂｎ移動局クラスの全ての移動局に対応した下りアクセス情報、パケットページング情報の共通制御情報を、Ｂｎ−Ｂｍ（ｎ，ｍ＞１；ｎ−ｍ＝１）の周波数帯域幅にマッピングすることが第３の参考例の特徴である。
【０２５２】
上記の共通制御情報のマッピング方法に対応した移動局の共通制御情報受信方法は、上述した図１１に示すような制御例で実施される。すなわち、Ｂ５−Ｂ４の周波数帯域幅とＴｄｃｃｃｈ時間を占める無線リソースに、Ｂ５移動局クラスの全ての移動局に対応した下りアクセス情報、パケットページング情報の共通制御情報がマッピングされているため、Ｂ５移動局クラスの全ての移動局は、待受け手順（期間）から接続手順（期間）に移行するとき、受信周波数帯域幅、ＩＦＦＴポイント数、動作クロックなどをＢ１からＢ５の周波数帯域幅に合わせて、制御を行い、接続手順（期間）に必要な共通制御情報、すなわち、下りアクセス情報、パケットページング情報を受信することができる。
そして第１の実施形態と組合せることにより、最小周波数帯域幅の移動局クラスの全ての移動局は最小周波数帯域幅Ｂ１で間欠受信し、パケット発着信がある場合、Ｂ５の周波数帯域幅で動作し、待受け手順（期間）における消費電力を最小限に抑えることができる。
【０２５３】
上記第３の参考例により、Ｂｎ移動局クラスの全ての移動局は、待受け手順（期間）で最小周波数帯域幅Ｂ１で動作し、接続手順（期間）でＢｎ周波数帯域幅より動作し、待受け手順（期間）で最小の消費電力を実現し、移動局の小型化、長待ち受け時間の要求を実現できる。
【０２５４】
（第４の参考例）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本参考例において、ＥＵＴＲＡの上り・下りリンクのチャネル構成、移動局のパケット呼の発着信フローチャート、下りリンク無線フレームの構成、基地局及び移動局の構成については、上記第１の実施形態と同様のためその繰り返しの説明は省略する。
【０２５５】
図２３は、本発明の第４の参考例を説明するための図である。第４の参考例では、上記第１〜第３の参考例と同様に、ＥＵＴＲＡに対する３ＧＰＰの提案をベースに想定されている下りリンク共通制御チャネルのマッピング方法の１つ、下りアクセス情報（Ｗ−ＣＤＭＡ方式の下りアクセスチャネルＦＡＣＨに相当）とパケット呼に対応するパケットページング情報（Ｗ−ＣＤＭＡ方式のページングチャネルＰＣＨに相当）のマッピング方法、及びその下りアクセス情報とパケットページング情報のマッピング方法に対応する移動局の共通制御情報受信方法を提案する。
【０２５６】
上記のように、下りリンク共通制御情報である下りアクセス情報及びパケットページング情報は、接続手順（期間）であるパケット発着信接続に使われ、無線リソースに収容する移動局の数に依存して情報量が変化する。また、報知情報及びパケットページングインジケーターＰＩ情報と比べて情報量が多い。
上記第１０の実施形態では、最大周波数帯域幅を含むＢｎ（ｎ＝１，２，３，４，５）移動局クラスの全ての移動局の下りアクセス情報及びパケットページング情報は、Ｂｎ−Ｂｍ（ｎ，ｍ＞１；ｎ−ｍ＝１）の周波数帯域幅にマッピングする方法を提案したが、  Ｂｎ移動局クラスの全ての移動局の下りアクセス情報及びパケットページング情報は、  Ｂｎ−Ｂｍ（ｎ，ｍ＞１；ｎ−ｍ＝１）の周波数帯域幅（ＢｎとＢｍの周波数帯域幅の差分）とＴｄｃｃｃｈ時間を占める無線リソースと比べて、情報量が少ない場合がある。
【０２５７】
図２３では、図５に示した下りリンク共通制御チャネルＤＣＣＣＨの部分を拡大し、下りリンク共通制御チャネルに含まれる共通制御情報のマッピング方法を示している。共通制御情報のマッピング方法として、Ｂｎ（ｎ＞１）の周波数帯域幅とＴｄｃｃｃｈ時間を占める無線リソースに、Ｂｎ移動局クラスの全ての移動局に対応した下りアクセス情報、パケットページング情報がマッピングされている。
【０２５８】
具体的には、図２３に示したように、下りアクセス情報をエリア１１、エリア１２及びエリア１３に、パケットページング情報をエリア１４、エリア１５及びエリア１６にマッピングする。このようにＢｎ移動局クラスの全ての移動局の下りアクセス情報、パケットページング情報を、Ｂｎの周波数帯域幅（Ｂｎを含むＢｎ以下の各周波数帯域幅）にマッピングすることにより、Ｂｎ移動局クラスの全ての移動局は、Ｂｎの周波数帯域幅を通じて、下りアクセス情報及びパケットページング情報を受信することができる。すなわち、図４の移動局のパケット発着信フローチャートに示したように、Ｂｎ移動局クラスの全ての移動局は、Ｂｎの周波数帯域幅を通じて、接続手順（期間）を正常に動作させることができる。
【０２５９】
上記のように、Ｂｎ移動局クラスの全ての移動局に対応した下りアクセス情報、パケットページング情報の共通制御情報を、Ｂｎの周波数帯域幅（Ｂｎを含むＢｎ以下の各周波数帯域幅に）にマッピングすることが第４の参考例の特徴である。
【０２６０】
上記の共通制御情報のマッピング方法に対応した移動局の共通制御情報受信方法は、上述した図１１に示すような制御例で実施される。すなわち、Ｂ５の周波数帯域幅とＴｄｃｃｃｈ時間を占める無線リソースに、Ｂ５移動局クラスの全ての移動局に対応した下りアクセス情報及びパケットページング情報の共通制御情報がマッピングされているため、Ｂ５移動局クラスの全ての移動局は、待受け手順（期間）から接続手順（期間）に移行するとき、受信周波数帯域幅、ＩＦＦＴポイント数、動作クロックなどをＢ１からＢ５の周波数帯域幅に合わせて制御を行い、接続手順（期間）に必要な共通制御情報、すなわち、下りアクセス情報及びパケットページング情報を受信することができる。
そして第１の実施形態と組合せることにより、周波数帯域幅Ｂ５の移動局クラスの全ての移動局は最小周波数帯域幅Ｂ１で間欠受信し、パケット発着信がある場合、Ｂ５の周波数帯域幅で動作し、待受け手順（期間）における消費電力を最小限に抑えることができる。
【０２６１】
上記第４の参考例により、Ｂｎ移動局クラスの全ての移動局は、待受け手順（期間）で最小周波数帯域幅Ｂ１で動作し、接続手順（期間）でＢｎ周波数帯域幅より動作し、待受け手順（期間）で最小の消費電力を実現し、移動局の小型化、長待ち受け時間の要求を実現できる。
【０２６２】
（第５の参考例）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本参考例において、ＥＵＴＲＡの上り・下りリンクのチャネル構成、移動局のパケット呼の発着信フローチャート、下りリンク無線フレームの構成、基地局及び移動局の構成については、上記第１の実施形態と同様のためその繰り返しの説明は省略する。
【０２６３】
図２４は、本発明の第５の参考例を説明するための図である。第５の参考例では、上記第１〜第４の参考例と同様に、ＥＵＴＲＡに対する３ＧＰＰの提案をベースに想定されている下りリンク共通制御チャネルのマッピング方法の１つ、下りアクセス情報（Ｗ−ＣＤＭＡ方式の下りアクセスチャネルＦＡＣＨに相当）とパケット呼に対応するパケットページング情報（Ｗ−ＣＤＭＡ方式のページングチャネルＰＣＨに相当）のマッピング方法、及びその下りアクセス情報とパケットページング情報のマッピング方法に対応する移動局の共通制御情報受信方法を提案する。
【０２６４】
上記第１及び第２の参考例では、最大周波数帯域幅を含むＢｎ（ｎ＝１，２，３，４，５）移動局クラスの全ての移動局の下りアクセス情報及びパケットページング情報は、最小周波数帯域幅Ｂ１にマッピングする方法を提案したが、  システムの最小周波数帯域幅Ｂ１を使用するため、周波数選択性フェージングの影響を受けやすい。また最小周波数帯域幅Ｂ１内の受信レベル変動が激しいとき、受信品質劣化により下りアクセス情報とパケットページング情報を受信できない場合がある。
【０２６５】
また上記第４の参考例のように、Ｂｎ−Ｂｍ（ｎ，ｍ＞１；ｎ−ｍ＝１）の周波数帯域幅（ＢｎとＢｍの周波数帯域幅の差分）とＴｄｃｃｃｈ時間を占める無線リソースに、Ｂｎ移動局クラスの全ての移動局に対応した下りアクセス情報及びパケットページング情報をマッピングする場合、各周波数帯域幅で無線リソースを十分に利用できない場合がある。
【０２６６】
図２４（Ａ）は、図５に示した下りリンク共通制御チャネルＤＣＣＣＨの部分を拡大し、下りリンク共通制御チャネルに含まれる共通制御情報のマッピング方法を示している。共通制御情報のマッピング方法として、Ｂｎ−Ｂｍ（ｎ，ｍ＞１；ｎ−ｍ＝１）の周波数帯域幅（ＢｎとＢｍの周波数帯域幅の差分）とＴｄｃｃｃｈ時間を占める無線リソースに、Ｂｎ移動局クラスの全ての移動局に対応した下りアクセス情報及びパケットページング情報がマッピングされている。このときに、各周波通帯域幅（ＢｎとＢｍの周波数帯域幅の差分）毎に、異なる誤り訂正方式を採用して分散してマッピングする。
【０２６７】
具体的には、図２４（Ａ）に示したように、下りアクセス情報をエリア７及びエリア８に、パケットページング情報をエリア９及びエリア１０にマッピングし、このときに異なる誤り訂正方式を適用する。
そして上記のようにＢｎ移動局クラスの全ての移動局の下りアクセス情報及びパケットページング情報を、Ｂｎ−Ｂｍ（ｎ，ｍ＞１；ｎ−ｍ＝１）の周波数帯域幅にマッピングし、このときに利用可能なリソースに合わせて誤り訂正方式（例えば符号化率）を変更することにより、Ｂｎ移動局クラスの全ての移動局は、Ｂｎ−Ｂｍ（ｎ，ｍ＞１；ｎ−ｍ＝１）の周波数帯域幅を通じて、下りアクセス情報、パケットページング情報を受信することができる。すなわち、図４の移動局のパケット発着信フローチャートに示したように、Ｂｎ移動局クラスの全ての移動局は、Ｂｎ−Ｂｍ（ｎ，ｍ＞１；ｎ−ｍ＝１）の周波数帯域幅を通じて、接続手順（期間）を正常に動作させることができる。
【０２６８】
図２４（Ｂ）は、下りアクセス情報及びパケットページング情報をＢｎ−Ｂｍ（ｎ，ｍ＞１；ｎ−ｍ＝１）の周波数帯域幅にマッピングし、このときに利用可能なリソースに合わせて誤り訂正方式を適用して符号化率を変更する様子を示している。
【０２６９】
上記の共通制御情報のマッピング方法に対応した移動局の共通制御情報受信方法は、上述した図１１に示すような制御例で実施される。すなわち、Ｂ５−Ｂ４の周波数帯域幅とＴｄｃｃｃｈ時間を占める無線リソースに、Ｂ５移動局クラスの全ての移動局に対応した下りアクセス情報及びパケットページング情報の共通制御情報がマッピングされているため、Ｂ５移動局クラスの全ての移動局は、待受け手順（期間）から接続手順（期間）に移行するとき、受信周波数帯域幅、ＩＦＦＴポイント数、動作クロックなどをＢ１からＢ５の周波数帯域幅に合わせて制御を行い、接続手順（期間）に必要な共通制御情報、すなわち、下りアクセス情報及びパケットページング情報を受信することができる。
そして第１の実施形態と組合せることにより、Ｂｎ移動局クラスの全ての移動局は、待受け手順（期間）で最小周波数帯域幅Ｂ１で動作し、接続手順（期間）でＢｎ周波数帯域幅より動作し、待受け手順（期間）で最小の消費電力を実現し、移動局の小型化、長待ち受け時間の要求を実現できる。
【０２７０】
なお上記の場合にも、Ｂｎの周波数帯域幅の増加に伴って誤り訂正符号の冗長ビットを減少（例えば、符号化率８／９→４／５→３／４→２／３→１／２）させるが、この他Ｂｎの周波帯域の増加に伴って誤り訂正符号の冗長ビットを増加させることにより、無線リソースの利用効率、抗干渉能力の向上を図るようにしてもよい。
【０２７１】
（第６の参考例）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本参考例において、ＥＵＴＲＡの上り・下りリンクのチャネル構成、移動局のパケット呼の発着信フローチャート、下りリンク無線フレームの構成、基地局及び移動局の構成については、上記第１の実施形態と同様のためその繰り返しの説明は省略する。
【０２７２】
図２５は、本発明の第６の参考例を説明するための図である。第６の参考例では、上記第１〜第５の参考例と同様に、ＥＵＴＲＡに対する３ＧＰＰの提案をベースに想定されている下りリンク共通制御チャネルのマッピング方法の１つ、下りアクセス情報（Ｗ−ＣＤＭＡ方式の下りアクセスチャネルＦＡＣＨに相当）とパケットページング情報（Ｗ−ＣＤＭＡ方式のページングチャネルＰＣＨに相当）のマッピング方法、及びその下りアクセス情報とパケット呼に対応するパケットページング情報のマッピング方法に対応する移動局の共通制御情報受信方法を提案する。
【０２７３】
図２５（Ａ）は、図５に示した下りリンク共通制御チャネルＤＣＣＣＨの部分を拡大し、下りリンク共通制御チャネルに含まれる共通制御情報のマッピング方法を示している。共通制御情報のマッピング方法として、Ｂｎ−Ｂｍ（ｎ，ｍ＞１；ｎ−ｍ＝１）の周波数帯域幅（ＢｎとＢｍの周波数帯域幅の差分）とＴｄｃｃｃｈ時間を占める無線リソースに、Ｂｎ移動局クラスの全ての移動局に対応した下りアクセス情報及びパケットページング情報がマッピングされている。このときに、各周波通帯域幅（ＢｎとＢｍの周波数帯域幅の差分）毎に、異なる変調方式（例えば変調度）を採用して、分散してマッピングする。
【０２７４】
具体的には、図２５（Ａ）に示したように、下りアクセス情報をエリア７及びエリア８に、パケットページング情報をエリア９及びエリア１０にマッピングし、このときに異なる変調方式を適用する。
そして上記のようにＢｎ移動局クラスの全ての移動局の下りアクセス情報及びパケットページング情報を、Ｂｎ−Ｂｍ（ｎ，ｍ＞１；ｎ−ｍ＝１）の周波数帯域幅にマッピングし、このときに利用可能なリソースに合わせて変調度（Ｍｏｄｕｌａｔｉｏｎ  Ｏｒｄｅｒ）を変更することにより、Ｂｎ移動局クラスの全ての移動局は、Ｂｎ−Ｂｍ（ｎ，ｍ＞１；ｎ−ｍ＝１）の周波数帯域幅を通じて、下りアクセス情報及びパケットページング情報を受信することができる。すなわち、図５の移動局のパケット発着信フローチャートに示したように、Ｂｎ移動局クラスの全ての移動局は、Ｂｎ−Ｂｍ（ｎ，ｍ＞１；ｎ−ｍ＝１）の周波数帯域幅を通じて、接続手順（期間）を正常に動作させることができる。
【０２７５】
図２５（Ｂ）は、下りアクセス情報及びパケットページング情報をｎ−Ｂｍ（ｎ，ｍ＞１；ｎ−ｍ＝１）の周波数帯域幅にマッピングし、このときに利用可能なリソースに合わせて異なる変調方式を適用する様子を示している。
【０２７６】
上記の共通制御情報のマッピング方法に対応した移動局の共通制御情報受信方法は、上述した図１１に示すような制御例で実施される。すなわち、Ｂ５−Ｂ４の周波数帯域幅とＴｄｃｃｃｈ時間を占める無線リソースに、Ｂ５移動局クラスの全ての移動局に対応した下りアクセス情報及びパケットページング情報の共通制御情報がマッピングされているため、Ｂ５移動局クラスの全ての移動局は、待受け手順（期間）から接続手順（期間）に移行するとき、受信周波数帯域幅、ＩＦＦＴポイント数、動作クロックなどをＢ１からＢ５の周波数帯域幅に合わせて制御を行い、接続手順（期間）に必要な共通制御情報、すなわち、下りアクセス情報及びパケットページング情報を受信することができる。
そして第１の実施形態と組合せることにより、Ｂｎ移動局クラスの全ての移動局は、待受け手順（期間）で最小周波数帯域幅Ｂ１で動作し、接続手順（期間）でＢｎ周波数帯域幅より動作し、待受け手順（期間）で最小の消費電力を実現し、移動局の小型化、長待ち受け時間の要求を実現できる。
【０２７７】
なお上記の場合にも、Ｂｎの周波数帯域幅の増加に伴って変調率を減少（例えば６４ＱＡＭ→１６ＱＡＭ→８ＱＡＭ→ＱＰＳＫ→ＢＰＳＫ）させるが、この他Ｂｎの周波帯域の増加に伴って変調率を増加させることにより、無線リソースの利用効率、抗干渉能力の向上を図るようにしてもよい。
【０２７８】
（第７の参考例）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本参考例において、ＥＵＴＲＡの上り・下りリンクのチャネル構成、移動局のパケット呼の発着信フローチャート、下りリンク無線フレームの構成、基地局及び移動局の構成については、上記第１の実施形態と同様のためその繰り返しの説明は省略する。
【０２７９】
図２６は、本発明の第７の参考例を説明するための図である。第７の参考例では、上記第１〜第６の参考例と同様に、ＥＵＴＲＡに対する３ＧＰＰの提案をベースに想定されている下りリンク共通制御チャネルのマッピング方法の１つ、下りアクセス情報（Ｗ−ＣＤＭＡ方式の下りアクセスチャネルＦＡＣＨに相当）とパケットページング情報（Ｗ−ＣＤＭＡ方式のページングチャネルＰＣＨに相当）のマッピング方法、及びその下りアクセス情報とパケット呼に対応するパケットページング情報のマッピング方法に対応する移動局の共通制御情報受信方法を提案する。
【０２８０】
図２６（Ａ）は、図５に示した下りリンク共通制御チャネルＤＣＣＣＨの部分を拡大し、下りリンク共通制御チャネルに含まれる共通制御情報のマッピング方法を示している。共通制御情報のマッピング方法として、Ｂｎ−Ｂｍ（ｎ，ｍ＞１；ｎ−ｍ＝１）の周波数帯域幅（ＢｎとＢｍの周波数帯域幅の差分）とＴｄｃｃｃｈ時間を占める無線リソースに、Ｂｎ移動局クラスの全ての移動局に対応した下りアクセス情報及びパケットページング情報がマッピングされている。このときに、各周波通帯域幅（ＢｎとＢｍの周波数帯域幅の差分）毎に、異なる符号拡散率を採用して、分散してマッピングする。
【０２８１】
具体的には、図２６（Ａ）に示したように、下りアクセス情報をエリア７及びエリア８に、パケットページング情報をエリア９及びエリア１０にマッピングし、このときに異なる拡散率を適用する。
そして上記のようにＢｎ移動局クラスの全ての移動局の下りアクセス情報及びパケットページング情報を、Ｂｎ−Ｂｍ（ｎ，ｍ＞１；ｎ−ｍ＝１）の周波数帯域幅にマッピングし、このときに利用可能なリソースに合わせて拡散率（ＳＦ）を変更することにより、Ｂｎ移動局クラスの全ての移動局は、Ｂｎ−Ｂｍ（ｎ，ｍ＞１；ｎ−ｍ＝１）の周波数帯域幅を通じて、下りアクセス情報及びパケットページング情報を受信することができる。
すなわち、図４の移動局のパケット発着信フローチャートに示したように、Ｂｎ移動局クラスの全ての移動局は、Ｂｎ−Ｂｍ（ｎ，ｍ＞１；ｎ−ｍ＝１）の周波数帯域幅を通じて、接続手順（期間）を正常に動作させることができる。
【０２８２】
図２６（Ｂ）は、下りアクセス情報及びパケットページング情報をＢｎ−Ｂｍ（ｎ，ｍ＞１；ｎ−ｍ＝１）の周波数帯域幅にマッピングし、このときに利用可能なリソースに合わせて異なる拡散率を適用する様子を示している。
【０２８３】
上記の共通制御情報のマッピング方法に対応した移動局の共通制御情報受信方法は、上述した図１１に示すような制御例で実施される。すなわち、Ｂ５−Ｂ４の周波数帯域幅とＴｄｃｃｃｈ時間を占める無線リソースに、Ｂ５移動局クラスの全ての移動局に対応した下りアクセス情報及びパケットページング情報の共通制御情報がマッピングされているため、Ｂ５移動局クラスの全ての移動局は、待受け手順（期間）から接続手順（期間）に移行するとき、受信周波数帯域幅、ＩＦＦＴポイント数、動作クロックなどをＢ１からＢ５の周波数帯域幅に合わせて制御を行い、接続手順（期間）に必要な共通制御情報、すなわち、下りアクセス情報及びパケットページング情報を受信することができる。
そして第１の実施形態と組合せることにより、Ｂｎ移動局クラスの全ての移動局は、待受け手順（期間）で最小周波数帯域幅Ｂ１で動作し、接続手順（期間）でＢｎ周波数帯域幅より動作し、待受け手順（期間）で最小の消費電力を実現し、移動局の小型化、長待ち受け時間の要求を実現できる。
【０２８４】
また上記の場合にも、Ｂｎの周波数帯域幅の増加に伴って拡散率を増大（例えば１→２→４→８→１６）させるが、この他Ｂｎの周波帯域の増加に伴って拡散率を減少させることにより、無線リソースの利用効率、抗干渉能力の向上を図るようにしてもよい。
【０２８５】
（第８の参考例）
上記のように、ＥＵＴＲＡ／ＥＵＴＲＡＮの技術要求条件として、スペクトル柔軟性が要求され、異なる周波数帯域幅（例えば、１．２５ＭＨｚ，２．５ＭＨｚ，５ＭＨｚ，１０ＭＨｚ，２０ＭＨｚ）に対する周波数割り当てのサポートが要求されている。
本参考例において、ＥＵＴＲＡの上り・下りリンクのチャネル構成、移動局のパケット呼の発着信フローチャート、下りリンク無線フレームの構成、基地局及び移動局の構成については、上記第１の実施形態と同様のためその繰り返しの説明は省略する。
【０２８６】
図２７は、本発明の第８の参考例を説明するための図である。第８の参考例では、上記第１〜第７の参考例と同様に、ＥＵＴＲＡに対する３ＧＰＰの提案をベースに想定されている下りリンク共通制御チャネルのマッピング方法の１つ、下りアクセス情報（Ｗ−ＣＤＭＡ方式の下りアクセスチャネルＦＡＣＨに相当）とパケットページング情報（Ｗ−ＣＤＭＡ方式のページングチャネルＰＣＨに相当）のマッピング方法、及びその下りアクセス情報とパケット呼に対応するパケットページング情報のマッピング方法に対応する移動局の共通制御情報受信方法を提案する。
【０２８７】
図２７（Ａ）は、図５に示した下りリンク共通制御チャネルＤＣＣＣＨの部分を拡大し、下りリンク共通制御チャネルに含まれる共通制御情報のマッピング方法を示している。共通制御情報のマッピング方法として、Ｂｎ−Ｂｍ（ｎ，ｍ＞１；ｎ−ｍ＝１）の周波数帯域幅（ＢｎとＢｍの周波数帯域幅の差分）とＴｄｃｃｃｈ時間を占める無線リソースに、Ｂｎ移動局クラスの全ての移動局に対応した下りアクセス情報及びパケットページング情報がマッピングされている。このときに、各周波通帯域幅（ＢｎとＢｍの周波数帯域幅の差分）毎に、異なる送信電力を適用して、分散してマッピングする。
【０２８８】
具体的には、図２７（Ａ）に示したように、下りアクセス情報をエリア７及びエリア８に、パケットページング情報をエリア９及びエリア１０にマッピングし、このときに異なる送信電力を適用する。
そして上記のようにＢｎ移動局クラスの全ての移動局の下りアクセス情報及びパケットページング情報を、Ｂｎ−Ｂｍ（ｎ，ｍ＞１；ｎ−ｍ＝１）の周波数帯域幅にマッピングし、このときに送信電力を変更することにより、Ｂｎ移動局クラスの全ての移動局は、Ｂｎ−Ｂｍ（ｎ，ｍ＞１；ｎ−ｍ＝１）の周波数帯域幅を通じて、下りアクセス情報及びパケットページング情報を受信することができる。
すなわち、図４の移動局のパケット発着信フローチャートに示したように、Ｂｎ移動局クラスの全ての移動局は、Ｂｎ−Ｂｍ（ｎ，ｍ＞１；ｎ−ｍ＝１）の周波数帯域幅を通じて、接続手順（期間）を正常に動作させることができる。
【０２８９】
図２７（Ｂ）は、下りアクセス情報及びパケットページング情報をＢｎ−Ｂｍ（ｎ，ｍ＞１；ｎ−ｍ＝１）の周波数帯域幅にマッピングし、このときに利用可能なリソースに合わせて異なる送信電力を適用する様子を示している。
【０２９０】
上記の共通制御情報のマッピング方法に対応した移動局の共通制御情報受信方法は、上述した図１１に示すような制御例で実施される。すなわち、Ｂ５−Ｂ４の周波数帯域幅とＴｄｃｃｃｈ時間を占める無線リソースに、Ｂ５移動局クラスの全ての移動局に対応した下りアクセス情報及びパケットページング情報の共通制御情報がマッピングされているため、Ｂ５移動局クラスの全ての移動局は、待受け手順（期間）から接続手順（期間）に移行するとき、受信周波数帯域幅、ＩＦＦＴポイント数、動作クロックなどをＢ１からＢ５の周波数帯域幅に合わせて制御を行い、接続手順（期間）に必要な共通制御情報、すなわち、下りアクセス情報及びパケットページング情報を受信することができる。
そして第１の実施形態と組合せることにより、Ｂｎ移動局クラスの全ての移動局は、待受け手順（期間）で最小周波数帯域幅Ｂ１で動作し、接続手順（期間）でＢｎ周波数帯域幅より動作し、待受け手順（期間）で最小の消費電力を実現し、移動局の小型化、長待ち受け時間の要求を実現できる。
【０２９１】
なお上記の場合にも、Ｂｎの周波数帯域幅の増加に伴って送信電力（相対値、ｄＢ）を増加（例えば（−８）→（−６）→（−４）→（−２）→（０））させるが、この他Ｂｎの周波帯域の増加に伴って送信電力を減少させることにより、無線リソースの利用効率、抗干渉能力の向上を図るようにしてもよい。
【０２９２】
（第９の参考例）
図２８は、本発明の第９の参考例を説明するための図である。第９の参考例では、上記第１〜第７の参考例と同様に、ＥＵＴＲＡに対する３ＧＰＰの提案をベースに想定されている下りリンク共通制御チャネルのマッピング方法の１つ、下りアクセス情報（Ｗ−ＣＤＭＡ方式の下りアクセスチャネルＦＡＣＨに相当）とパケットページング情報（Ｗ−ＣＤＭＡ方式のページングチャネルＰＣＨに相当）のマッピング方法、及びその下りアクセス情報とパケット呼に対応するパケットページング情報のマッピング方法に対応する移動局の共通制御情報受信方法を提案する。
【０２９３】
図２８（Ａ）では、図５に示した下りリンク共通制御チャネルＤＣＣＣＨの部分を拡大し、下りリンク共通制御チャネルに含まれる共通制御情報のマッピング方法を示している。共通制御情報のマッピング方法として、Ｂｎ−Ｂｍ（ｎ，ｍ＞１；ｎ−ｍ＝１）の周波数帯域幅（ＢｎとＢｍの周波数帯域幅の差分）とＴｄｃｃｃｈ時間を占める無線リソースに、Ｂｎ移動局クラスの全ての移動局に対応した下りアクセス情報及びパケットページング情報がマッピングされている。
【０２９４】
そして本実施形態では、各Ｂｎ−Ｂｍの周波数帯域幅において、さらに無線リソースに余裕がある場合、各Ｂｎ−Ｂｍの周波数帯域にマッピングされたＢｎ移動局クラスの全ての移動局に対応した各下りアクセス情報及びパケットページング情報を、他のＢｎ−Ｂｍの周波数帯域幅にコピーしてマッピングする。
具体的には、図２８（Ａ）に示したように、下りアクセス情報をエリア７及びエリア９に、パケットページング情報をエリア８及びエリア１０にマッピングする。この例の場合、エリア７〜エリア９は、Ｂ５−Ｂ４の周波数帯域幅にある。このときに、他の周波数帯域幅であるＢ４−Ｂ３の周波数帯域幅に無線リソースの余裕がある場合は、上記エリア７〜１０の各情報を、Ｂ４−Ｂ３の周波数帯域幅のエリア１７〜２０にそれぞれコピーする。
そして上記のＢ５−Ｂ４の例のみならず、Ｂｎ−Ｂｍの周波数帯域幅にマッピングされた下りアクセス情報及びパケットページング情報を、他のＢｎ−Ｂｍの周波数帯域幅で無線リソースの余裕がある場合には、その部分にコピーする。
【０２９５】
図２８（Ｂ）は、下りアクセス情報及びパケットページング情報を、Ｂｎ−Ｂｍ（ｎ，ｍ＞１；ｎ−ｍ＝１）の周波数帯域幅にマッピングし、各周波数帯域幅にマッピングされた下りアクセス情報及びパケットページング情報を、無線リソースに余裕がある他のＢｎ−Ｂｍの周波数帯域幅にコピーする様子を示している。
【０２９６】
このようにＢｎ移動局クラスの全ての移動局の下りアクセス情報、パケットページング情報を、Ｂｎ−Ｂｍ（ｎ，ｍ＞１；ｎ−ｍ＝１）の周波数帯域幅にマッピングし、さらに各周波数帯域幅にマッピングされた下りアクセス情報及びパケットページング情報を、無線リソースに余裕がある他のＢｎ−Ｂｍの周波数帯域幅にコピーすることにより、Ｂｎ移動局クラスの全ての移動局は、Ｂｎ−Ｂｍ（ｎ，ｍ＞１；ｎ−ｍ＝１）の周波数帯域幅を通じて、下りアクセス情報及びパケットページング情報を受信することができる。
すなわち、図４の移動局のパケット発着信フローチャートに示したように、Ｂｎ移動局クラスの全ての移動局は、Ｂｎ−Ｂｍ（ｎ，ｍ＞１；ｎ−ｍ＝１）の周波数帯域幅を通じて、接続手順（期間）を正常に動作させることができる。
【０２９７】
上記の共通制御情報のマッピング方法に対応した移動局の共通制御情報受信方法は、上述した図１１に示すような制御例で実施される。すなわち、Ｂ５−Ｂ４の周波数帯域幅とＴｄｃｃｃｈ時間を占める無線リソースに、Ｂ５移動局クラスの全ての移動局に対応した下りアクセス情報、パケットページング情報の共通制御情報がマッピングされているため、Ｂ５移動局クラスの全ての移動局は、待受け手順（期間）から接続手順（期間）に移行するとき、受信周波数帯域幅、ＩＦＦＴポイント数、動作クロックなどをＢ１からＢ５の周波数帯域幅に合わせて、制御を行い、接続手順（期間）に必要な共通制御情報、すなわち、下りアクセス情報、パケットページング情報を受信し、周波数ダイバシチー効果により受信品質の改善を行うことができる。
そして第１の実施形態と組合せることにより、Ｂｎ移動局クラスの全ての移動局は、待受け手順（期間）で最小周波数帯域幅Ｂ１で動作し、接続手順（期間）でＢｎ周波数帯域幅より動作し、待受け手順（期間）で最小の消費電力を実現し、移動局の小型化、長待ち受け時間の要求を実現できる。
【０２９８】
第１〜８の参考例では、Ｂｎ移動局クラスの全ての移動局に対応した下りアクセス情報及びパケットページング情報の共通制御情報が、Ｂｎの周波数帯域幅にマッピングする方法として、情報のマッピング、誤り訂正方式変更、変調方式変更、符号拡散率変更、送信電力変更の方法をそれぞれ提示したが、異なる周波数帯域幅ＢｎとＴｄｃｃｃｈ時間を占める無線リソースにおいて、それぞれ異なるマッピング方法を採用してもよい。
【０２９９】
また、第１〜８の参考例では、最大周波数帯域幅を含むＢｎ（ｎ＝１，２，３，４，５）移動局クラスの全ての移動局に対応した下りアクセス情報及びパケットページング情報がマッピングを一緒に、最小周波数帯域幅Ｂ１にマッピングし、またはＢｎの全ての周波数帯域幅Ｂｎ−Ｂｍ（ｎ，ｍ＞１；ｎ−ｍ＝１）にマッピングし、誤り訂正方式変更、変調方式変更、符号拡散率変更、送信電力変更し、分散してマッピングのマッピングする方法を提示したが、最大周波数帯域幅を含むＢｎ（ｎ＝１，２，３，４，５）移動局クラスの全ての移動局に対応した下りアクセス情報は、パケットページング情報と異なるマッピングを行ってもよい。
【０３００】
例えば、最大周波数帯域幅を含むＢｎ（ｎ＝１，２，３，４，５）移動局クラスの全ての移動局に対応した下りアクセス情報は、図２に示したように、下りリンク共通制御チャネルＤＣＣＣＨではなく、下りリンク共用データチャネルＤＳＤＣＨ及び／または下りリンク共用制御シクナリングチャネルＤＳＣＳＣＨにマッピングされた場合、第７〜１５の実施形態は、最大周波数帯域幅を含むＢｎ（ｎ＝１，２，３，４，５）移動局クラスの全ての移動局に対応した下りアクセス情報、またはパケットページング情報だけに適用してもよい。
【０３０１】
以上、本発明に関わる各実施形態を説明したが、上記のような無線リソースへの制御情報のマッピングとその受信制御については、上述した図７のような下りリンク共通パイロットチャネルＤＣＰＣＨ、下りリンク共通制御チャネルＤＣＣＣＨ及び下りリンク共用制御シグナリングチャネルＤＳＣＳＣＨがサブキャリア交互に配置されたような構成に適用できることは明らかである。
【０３０２】
また、本発明に関わる各実施形態では、最大周波数帯域幅Ｂｎの中心周波数を基準に、下りリンク制御情報のマッピングとその受信制御について説明したが、最大周波数帯域幅Ｂｎの中心周波数以外に、指定された他の周波数に適用できることは明らかである。
【０３０３】
また、上記のように、３ＧＰＰの提案をベースに、ＥＵＴＲＡの各物理チャネル、トランスポートチャネルの構成、機能を想定したが、チャネルの名称、物理チャネル／トランスポートチャネル／論理チャネルの対応関係、共通／共用制御情報のマッピングについて、３ＧＰＰの最終仕様として、上記の記載と異なる可能性がある。本発明に記載されているパケット呼の有無を指すパケットインジケーター、パケット呼に対応するページング、報知及び上りアクセスに関連する情報、メッセージの無線リソースへのマッピング方法について、具体名称などに拘らず、原理的、概念的同一であれば、本発明の範疇に属する。
【０３０４】
また、上記のように、３ＧＰＰの提案をベースに想定されているＥＵＴＲＡのパケット呼の有無を指すパケットページングインジケーターＰＩ情報、パケット呼に対応するパケットページング情報、報知情報及び下りアクセス情報は、下りリンク共通制御情報として、下りリンク共通制御チャネルＤＣＣＣＨにマッピングされていることを前提としているが、一部は下りリンク共用制御シグナリングチャネルＤＳＣＳＣＨ、及び／または下りリンク共用データチャネルＤＳＤＣＨにマッピングしてもよい。
【０３０５】
また、上記のように、３ＧＰＰの提案をベースに想定されているＥＵＴＲＡ下りリンク無線フレームの構成例として、無線フレーム先頭に下りリンク共通制御チャネルＤＣＣＣＨがマッピングされていることを示しているが、下りリンク共通制御チャネルＤＣＣＣＨがあるか否かにも関わらず、パケット呼の有無を指すパケットページングインジケーターＰＩ情報、パケット呼に対応するパケットページング情報、報知情報及び下りアクセス情報が無線フレーム先頭にマッピングされてもよい。または間欠受信で低消費電力が実現できる他の適切な場所にマッピングしてもよい。
【０３０６】
また、上記のように、３ＧＰＰの提案をベースに想定されているＥＵＴＲＡのパケット呼の有無を指すパケットページングインジケーターＰＩ情報、パケット呼に対応するパケットページング情報、報知情報及び下りアクセス情報について、下りリンク共通制御情報を一括で下りリンク制御情報、または下りリンク制御信号と称することができる。
【０３０７】
本発明に関わる基地局装置及び移動局装置で動作するプログラムは、本発明に関わる下りリンク共通情報マッピング方法及び下りリンク共通制御情報受信方法を実行するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。
【０３０８】
プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０３０９】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明の記録媒体に含まれる。
【図面の簡単な説明】
【０３１０】
【図１】３ＧＰＰの提案をベースに想定されているＥＵＴＲＡのチャンネル構成例を説明するための図である。
【図２】３ＧＰＰの提案をベースに想定されているＥＵＴＲＡとＷ−ＣＤＭＡ／ＨＳＤＰＡ方式の上り・下りリンクチャネルの対応関係を示す図である。
【図３】３ＧＰＰの提案をベースに想定されているＥＵＴＲＡ移動局の状態遷移を示す図である。
【図４】３ＧＰＰの提案をベースに想定されているＥＵＴＲＡ移動局のパケット呼の発着信フローチャートである。
【図５】３ＧＰＰの提案をベースに想定されているＥＵＴＲＡ下りリンク無線フレームの構成例１を示す図である。
【図６】移動局がアイドルモードのときの間欠受信動作を概念的に示す図である。
【図７】３ＧＰＰの提案をベースに想定されている下りリンク無線フレームの他の構成例２を示す図である。
【図８】本発明と関連する基地局の構成例を示す図である。
【図９】本発明と関連する移動局の構成例を示す図である。
【図１０】本発明の第１の実施形態を説明するための図である。
【図１１】共通制御情報のマッピング方法に対応した移動局の共通制御情報受信方法１を説明する図である。
【図１２】共通制御情報のマッピング方法に対応した移動局の共通制御情報受信方法２を説明する図である。
【図１３】本発明の第２の実施形態を説明するための図である。
【図１４】共通制御情報のマッピング方法に対応した移動局の共通制御情報受信方法３を説明する図である。
【図１５Ａ】本発明の第３の実施形態を説明するための図である。
【図１５Ｂ】本発明の第３の実施形態を説明するための他の図である。
【図１５Ｃ】本発明の第３の実施形態を説明するための更に他の図である。
【図１５Ｄ】本発明の第３の実施形態を説明するための更に他の図である。
【図１５Ｅ】本発明の第３の実施形態を説明するための更に他の図である。
【図１６Ａ】本発明の第４の実施形態を説明するための図である。
【図１６Ｂ】本発明の第４の実施形態を説明するための他の図である。
【図１６Ｃ】本発明の第４の実施形態を説明するための更に他の図である。
【図１７Ａ】本発明の第５の実施形態を説明するための図である。
【図１７Ｂ】本発明の第５の実施形態を説明するための他の図である。
【図１７Ｃ】本発明の第５の実施形態を説明するための更に他の図である。
【図１８Ａ】本発明の第６の実施形態を説明するための図である。
【図１８Ｂ】本発明の第６の実施形態を説明するための他の図である。
【図１８Ｃ】本発明の第６の実施形態を説明するための更に他の図である。
【図１９】本発明の第７の実施形態を説明するための図である。
【図２０】共通制御情報のマッピング方法に対応した移動局の共通制御情報受信方法を説明する図である。
【図２１】本発明の第８の実施形態を説明するための図である。
【図２２】本発明の第９の実施形態を説明するための図である。
【図２３】本発明の第１０の実施形態を説明するための図である。
【図２４】本発明の第１１の実施形態を説明するための図である。
【図２５】本発明の第１２の実施形態を説明するための図である。
【図２６】本発明の第１３の実施形態を説明するための図である。
【図２７】本発明の第１４の実施形態を説明するための図である。
【図２８】本発明の第１５の実施形態を説明するための図である。
【符号の説明】
【０３１１】
１００…基地局、１０１…アンテナ部、１０２…無線部、１０３…復調部、１０４…リンクチャネル推定部、１０５…制御データ抽出部、１０６…チャネルデコーディング部、１０７…チャネルコーディング部、１０８…制御データ挿入部、１０９…ＯＦＤＭ変調部、１１０…スケジューリング部、２００…移動局、２０１…アンテナ部、２０２…無線部、２０３…ＯＦＤＭ復調部、２０４…リンクチャネル推定部、２０５…制御データ抽出部、２０６…チャネルデコーディング部、２０７…チャネルコーディング部、２０８…制御データ挿入部、２０９…変調部、２１０…制御部、２１１…ベースバンド信号処理部。
【図１】
0004671803.tif 000002
【図２】
0004671803.tif 000003
【図３】
0004671803.tif 000004
【図４】
0004671803.tif 000005
【図５】
0004671803.tif 000006
【図６】
0004671803.tif 000007
【図７】
0004671803.tif 000008
【図８】
0004671803.tif 000009
【図９】
0004671803.tif 000010
【図１０】
0004671803.tif 000011
【図１１】
0004671803.tif 000012
【図１２】
0004671803.tif 000013
【図１３】
0004671803.tif 000014
【図１４】
0004671803.tif 000015
【図１５Ａ】
0004671803.tif 000016
【図１５Ｂ】
0004671803.tif 000017
【図１５Ｃ】
0004671803.tif 000018
【図１５Ｄ】
0004671803.tif 000019
【図１５Ｅ】
0004671803.tif 000020
【図１６Ａ】
0004671803.tif 000021
【図１６Ｂ】
0004671803.tif 000022
【図１６Ｃ】
0004671803.tif 000023
【図１７Ａ】
0004671803.tif 000024
【図１７Ｂ】
0004671803.tif 000025
【図１７Ｃ】
0004671803.tif 000026
【図１８Ａ】
0004671803.tif 000027
【図１８Ｂ】
0004671803.tif 000028
【図１８Ｃ】
0004671803.tif 000029
【図１９】
0004671803.tif 000030
【図２０】
0004671803.tif 000031
【図２１】
0004671803.tif 000032
【図２２】
0004671803.tif 000033
【図２３】
0004671803.tif 000034
【図２４】
0004671803.tif 000035
【図２５】
0004671803.tif 000036
【図２６】
0004671803.tif 000037
【図２７】
0004671803.tif 000038
【図２８】
0004671803.tif 000039